(57)【要約】【課題】マトリックス型の表示装置の時間分割階調表示を実現するにあたって、表示階調の各レベルを所望の値に設定可能な表示装置の範囲を拡大する。【解決手段】Ｒ階調表示可能な電気光学素子の表示状態を、１フレーム期間にＡ回設定することで、時間分割階調表示する際、従来では、表示状態を示す各ビットデータの重み設定を、２０　：２１　：２２　：２３　：…、すなわち１：２：４：８：…で行うようにしていたのに対して、本発明では、例えば、２０　：２１　：２２　：２３　−１：…のように、第３ビット以降の少なくとも１箇所で、その関係を崩して設定するなどして、表示階調数をＢとするとき、Ｂ＜ＲＡ　になるように、各ビットデータの重みを設定する。これにより、実際に認識される画像にそれ程差がなく、任意の走査ライン数で、かつ前記所望とするビット重み比率での時間分割階調表示を実現できる。【選択図】　図４
2004004501.tif 000002
【特許請求の範囲】
【請求項１】
複数の走査ラインと少なくとも１つのデータラインとの組み合わせに対応して設けられた電気光学素子であって、それぞれＲ段階（Ｒは、２以上の整数）の出力が可能な電気光学素子を有する電気光学装置を駆動する駆動装置であり、
順次選択されている上記複数の走査ラインのうちの現在選択されている走査ラインに対応する電気光学素子へ、次に指示データが供給されるまでの出力期間における出力を示す指示データを、当該電気光学素子に対応するデータラインを介して供給する駆動手段を備え、
上記駆動手段は、１フレーム期間中に各電気光学素子毎にＡ回（Ａは、２以上の整数）ずつ、上記指示データＢ１〜Ｂａを供給することによって、１フレーム期間全体における電気光学素子の出力としてのフレーム間出力を制御し、
上記駆動手段は、あるデータラインへ連続して供給されるＡ個の指示データに指示データＢ１〜Ｂａが各１回ずつ出現するように、上記走査ラインを選択する電気光学装置の駆動装置において、
１フレーム期間に電気光学素子へ供給されるＡ個の指示データの組み合わせによって特定されるフレーム間出力のレベルの個数をＢとするとき、上記各指示データがフレーム間出力へ寄与する大きさを示す重みは、それぞれ、
ＲＡ　＞　Ｂ　になるように設定されていることを特徴とする電気光学装置の駆動装置。
【請求項２】
１フレーム期間に上記電気光学素子へ供給される指示データの重みを小さい順に並べ、１以上の整数をＧとし、１以上、Ｇ×（Ｒ−１）以下の整数をｎとするとき、互いに隣接する指示データ対の中に、両者の重みの比率が、Ｇ：Ｇ×Ｒ−ｎになる指示データ対が含まれるように、上記１フレーム期間に供給される各指示データの重みが設定されていることを特徴とする請求項１記載の電気光学装置の駆動装置。
【請求項３】
１フレーム期間に上記電気光学素子へ供給される指示データのうち、少なくとも１つの重みが０に設定されていることを特徴とする請求項１または２記載の電気光学装置の駆動装置。
【請求項４】
上記駆動手段が、同一フレーム期間に、あるデータラインへ連続して供給するＡ個の指示データの順番は、重みの順番で互いに隣接している指示データ対の中に、当該データラインへ供給する順番では、互いに隣接しない指示データ対が含まれるように設定されていることを特徴とする請求項１記載の電気光学装置の駆動装置。
【請求項５】
上記１フレーム期間に供給される各指示データの重みは、さらに、上記各指示データによって特定可能で、互いに異なるレベルのフレーム間出力を、低いレベルから順番に並べたとき、互いに隣接するフレーム間出力同士のレベル差が、予め定められた固定値となるように設定されていることを特徴とする請求項１記載の電気光学装置の駆動装置。
【請求項６】
表示素子として、複数の走査ラインと少なくとも１つのデータラインとの組み合わせに対応して設けられた電気光学素子であって、それぞれＲ段階（Ｒは、２以上の整数）の出力が可能な電気光学素子を有する電気光学装置と、
当該電気光学装置を駆動する請求項１記載の駆動装置とを有し、
上記駆動手段は、指示データとして、各電気光学素子の階調データを供給することを特徴とする表示装置。
【請求項７】
１フレーム期間に上記電気光学素子へ供給される指示データのうち、少なくとも１つの重みが０に設定されており、
しかも、上記重み０の指示データに対応する出力期間は、上記１フレーム期間の１／４以上に設定されていることを特徴とする請求項６記載の表示装置。
【請求項８】
上記駆動手段は、同一フレーム期間にて、上記フレーム間出力が互いに同一の電気光学素子に対して、互いに異なる複数組の組み合わせの指示データのうち、いずれかの組み合わせの指示データを供給すると共に、当該上記電気光学素子のうち、少なくとも１つは、他とは異なる組み合わせの指示データを供給することを特徴とする請求項６記載の表示装置。
【請求項９】
Ｒ階調（Ｒは２以上の整数）表示可能な電気光学素子がマトリックス状に配列され、前記各電気光学素子の表示状態が１フレーム期間にＡ回（Ａは４以上の整数）設定されることで、該各電気光学素子でＢ階調表示（Ｂ＞Ｒなる整数）を実現するようにしたマトリックス型の表示装置において、
前記Ａ個のビットデータが相互に異なるビットに対応したデータであり、かつ、Ｒ０　：Ｒ１　：…：Ｒｍ　−ｎ：…（ｍは２以上の整数、ｎは１以上の整数）の関係を有することを特徴とする表示装置。
【請求項１０】
前記Ａ個のビットデータのうちの少なくとも１つが、重み０のデータであることを特徴とする請求項９記載の表示装置。
【請求項１１】
最も重みの大きい２つのビットデータが、各電気光学素子の同一フレーム期間の始めと終わりに配置されることを特徴とする請求項９記載の表示装置。
【請求項１２】
同一フレーム期間において、相互に隣接する電気光学素子が同一階調を表示する場合には、点灯するビットデータパターンが相互に異なることを特徴とする請求項９記載の表示装置。
【請求項１３】
複数の走査ラインと少なくとも１つのデータラインとの組み合わせに対応して設けられた電気光学素子であって、それぞれＲ段階（Ｒは、２以上の整数）の出力が可能な電気光学素子を有する電気光学装置の駆動方法であって、
順次選択されている上記複数の走査ラインのうちの現在選択されている走査ラインに対応する電気光学素子へ、次に指示データが供給されるまでの出力期間における出力を示す指示データを、当該電気光学素子に対応するデータラインを介して供給する駆動工程を含み、
当該駆動工程では、１フレーム期間中に各電気光学素子毎にＡ回（Ａは、２以上の整数）ずつ、上記指示データＢ１〜Ｂａを供給することによって、１フレーム期間全体における電気光学素子の出力としてのフレーム間出力が制御され、
上記駆動工程では、あるデータラインへ連続して供給されるＡ個の指示データに指示データＢ１〜Ｂａが各１回ずつ出現するように、上記走査ラインが選択される電気光学装置の駆動方法において、
１フレーム期間に電気光学素子へ供給されるＡ個の指示データの組み合わせによって特定されるフレーム間出力のレベルの個数をＢとするとき、上記各指示データがフレーム間出力へ寄与する大きさを示す重みは、それぞれ、
ＲＡ　＞　Ｂ　になるように設定されていることを特徴とする電気光学装置の駆動方法。
【請求項１４】
Ｒ階調（Ｒは２以上の整数）表示可能な電気光学素子がマトリックス状に配列されたマトリックス型の表示装置の駆動方法であって、
前記各電気光学素子の表示状態を１フレーム期間にＡ回（Ａは４以上の整数）設定することによって、該各電気光学素子でＢ階調表示（Ｂ＞Ｒなる整数）を実現する駆動工程を含む表示装置の駆動方法において、
前記駆動工程にて、前記Ａ個のビットデータは、相互に異なるビットに対応したデータであり、かつ、Ｒ０　：Ｒ１　：…：Ｒｍ　−ｎ：…（ｍは２以上の整数、ｎは１以上の整数）の関係を有することを特徴とする表示装置の駆動方法。
【請求項１５】
複数の走査ラインと少なくとも１つのデータラインとの組み合わせに対応して設けられた電気光学素子であって、それぞれＲ段階（Ｒは、２以上の整数）の出力が可能な電気光学素子を有する電気光学装置を駆動する駆動装置であり、
順次選択されている上記複数の走査ラインのうち、現在の選択期間にて選択されている走査ラインに対応する電気光学素子へ、次に指示データが供給されるまでの出力期間における出力を示す指示データを、当該電気光学素子に対応するデータラインを介して供給する駆動手段を備え、
上記駆動手段は、１フレーム期間中に各電気光学素子毎にＡ回（Ａは、２以上の整数）ずつ、上記指示データＢ１〜Ｂａを供給することによって、１フレーム期間全体における電気光学素子の出力としてのフレーム間出力を制御し、
上記駆動手段は、あるデータラインへ連続して供給されるＡ個の指示データに指示データＢ１〜Ｂａが各１回ずつ出現するように、上記走査ラインを選択する電気光学装置の駆動装置における重み設定方法において、
上記各指示データがフレーム間出力へ寄与する大きさを示す重みを、重みの小さい指示データから順番に並べたときに、前の順番のＲ倍となるように、初期設定する工程と、
上記順番で最初の指示データの出力期間を開始する選択期間として、予め定められた選択期間を割り当てる工程と、
未だ、選択期間を割り当てていない指示データが存在する間、繰り返されると共に、上記指示データの重みに応じて、当該指示データに対応する出力期間の長さを決定し、当該出力期間が終わったときの選択期間を、次の指示データの出力期間が開始される選択期間として割り当てる割り当て工程と、
上記割り当て工程にて割り当てた、次の指示データの選択期間が、これまでに割り当てた選択期間と一致しているか否かを判定する判定工程と、
一致している場合、上記割り当て工程にて出力期間の長さを決定した指示データ、あるいは、それまでに出力期間の長さを決定した指示データの重みを軽くして、次の指示データに割り当てる選択期間、および、これまでに指示データが割り当てられた選択期間が、相互に重ならないように調整する調整工程とを含んでいることを特徴とする電気光学装置の駆動装置の重み設定方法。
【請求項１６】
上記調整工程は、当該順番の指示データよりも軽い重みの指示データの重みを軽くする前に、次に選択期間を割り当てる指示データを、未だ選択期間が割り当てられていない指示データの中のいずれかに変更することによって、次の指示データに割り当てる選択期間、および、これまでに指示データが割り当てられた選択期間が、相互に重ならないように調整する順番変更工程を含んでいることを特徴とする請求項１５記載の電気光学装置の駆動装置の重み設定方法。
【発明の詳細な説明】
【０００１】
【発明の属する技術分野】
本発明は、Ｒ段階（Ｒは、２以上の整数）の出力が可能な電気光学素子を有する電気光学装置を、１フレーム間出力に複数回各電気光学素子の出力を指示するように駆動する駆動装置、Ｒ階調（Ｒは２以上の整数）表示可能な電気光学素子の表示状態を、１フレーム期間に複数回切替えることで、Ｂ階調（Ｂ＞Ｒなる整数）表示可能とする時間分割階調表示を用いる表示装置、その駆動方法、および、その重みの設定方法に関するものである。
【０００２】
【従来の技術】
前記電気光学素子として、強誘電性液晶やプラズマディスプレイを用いる表示装置では、各電気光学素子の作成条件等のバラツキによって、同一の電圧およびパルス幅を与えても、得られる輝度状態が異なる場合が多く、特に隣接して画素が配列されるマトリックス型の表示装置では、そのバラツキが表示品位に大きな影響を及ぼす。このため、１フレーム期間に１回だけ表示状態を設定する駆動方法では、そのような電気光学素子において必要な表示品位を得ることが困難となる。
【０００３】
そこで、そのような電気光学素子を用いたマトリックス型の表示装置では、従来から、有限なＲ階調表示可能な電気光学素子の表示状態を、１フレーム期間に複数回切替えることで、所望とするＢ階調（Ｂ＞Ｒ）表示を可能とする時間分割階調表示によって、前記必要な表示品位を得るように構成されている。たとえば、理解し易いように極端な例で説明すると、１フレーム期間を均等に２つに分割し、２階調表示可能な電気光学素子（Ｒ＝２）を、前記１フレーム期間の前半期間と後半期間とで個別に点灯制御することで、３階調表示（光量レベルで０，１，２となり、Ｂ＝３）を実現するようなものである。また、そのような時間分割階調表示は、精細度を低下することなく、多階調表示を実現するのにも有効である。
【０００４】
図１６は、そのような時間分割階調表示を実現する典型的な従来技術である特許文献１（後述）に示されている駆動方法を示す図である。この特許文献１の構成では、電気光学素子として強誘電性液晶を用い、各電気光学素子に２つの階調表示（Ｒ＝２）を取らせ、その表示状態を１フレーム期間で４回切り替えることで、１６階調表示（Ｂ＝１６）を実現している。この図１６の例では、走査ラインがＧ１〜Ｇ１５の１５本を１つのグループとして制御するマトリックス型表示装置を想定している。以下では、各電気光学素子へ表示させる４ビットのデータを、重みの軽いものから順番に第１ビットデータ、第２ビットデータ、第３ビットデータ、第４ビットデータと表す。
【０００５】
横軸は時間であり、（１）は最小単位の選択時間の通算時間を示し、６０選択時間で１フレーム期間が構成されている。（２）は、前記１フレーム期間を制御単位に区分した時間を示し、前記１フレーム期間に１５の単位時間が設定されている。そして、（３）は、前記単位時間内での各ビットデータの占有時間、すなわち実際にデータラインに出力されるタイミングスロットを示し、１〜４の４つのスロットで構成されている。（４）〜（１８）は、前記各走査ラインＧ１〜Ｇ１５で表示されるデータを示し、各データ表示期間の最初に第１のビットデータを表示する場合は『１』の数字を、第２のビットデータを表示する場合は『２』の数字を、第３のビットデータを表示する場合は『３』の数字を、第４のビットデータを表示する場合は『４』の数字を示している。
【０００６】
したがって、走査ラインＧ１について見れば、先ず第１の単位時間の第１の占有時間で選択されて第１の選択時間から第５の選択時間に亘って第１のビットデータが表示され、次に第２の単位時間の第２の占有時間で選択されて第６の選択時間から第１４の選択時間に亘って第２のビットデータが表示され、続いて第４の単位時間の第３の占有時間で選択されて第１５の選択時間から第３１の選択時間に亘って第３のビットデータが表示され、最後に第８の単位時間の第４の占有時間で選択されて第３２の選択時間から第６４の選択時間に亘って第４のビットデータが表示されて、前記１フレーム期間が終了する。
【０００７】
しかしながら、この特許文献１の構成では、第１〜第４のビットの重みを、前記単位時間単位で見ると、１：２：４：８となっているけれども、前記選択時間単位で見ると、５：９：１７：２９となり、特に下位ビットの誤差が大きいので、正確さに欠けるという問題がある。また、１つのグループの走査ライン数を、Σ２ｋ　−１本（ｋ＝０，１，２，…）としなければ、適用できないという問題がある。
【０００８】
そこで、このような問題を解決する他の従来技術として、後述の特許文献２が挙げられる。図１７は、その特許文献２の第１実施例に示されている駆動方法を示す図である。この特許文献２の構成では、各電気光学素子を面積比１：２の２つの部分画素から構成し、さらに電気光学素子に２つの階調表示を取らせることで４階調表示（Ｒ＝４）を可能とし、その表示状態を１フレーム期間で３回切り替えることで、６４階調表示を実現している。この図１７の例では、走査ラインがＧ１〜Ｇ７の７本を１つのグループとして制御するマトリックス型表示装置を想定している。
【０００９】
横軸は時間であり、（１）は最小単位である選択時間の通算時間を示し、２１選択時間で１フレーム期間が構成されている。（２）は、前記１フレーム期間を制御単位に区分した時間を示し、前記１フレーム期間に７つの単位時間が設定されている。そして、（３）は、前記単位時間内での各ビットデータの占有時間を示し、１〜３の３つのスロットで構成されている。（４）〜（１０）は、前記各走査ラインＧ１〜Ｇ７で表示されるデータを示す。
【００１０】
したがって、たとえば走査ラインＧ１について見れば、先ず第１の単位時間の第１の占有時間で選択され、次にこの第１の単位時間の第２の占有時間で選択されるので、第１のビットデータは前記第１の選択時間だけ表示され、続いて第２の単位時間の第３の占有時間で選択されるので、第２のビットデータは第２の選択時間から第５の選択時間に亘って表示され、第３のビットデータは第６の選択時間から第２１の選択時間に亘って表示されて、前記１フレーム期間が終了する。
【００１１】
こうして、選択時間で見れば、１：４：１６の各ビットの表示期間の比率を各ビットの重みに正確に合わせた階調表示が実現されている。
【００１２】
また、図１８は、前記特許文献２の第２実施例に示されている駆動方法を示す図である。この構成では、各電気光学素子に２つの階調表示（Ｒ＝２）を取らせ、その表示状態を１フレーム期間で３回切り替え、また走査ラインがＧ１〜Ｇ８の８本を１つのグループとして制御するマトリックス型表示装置を想定している。
【００１３】
横軸は時間であり、（１）は前記通算時間を示し、２４選択時間で１フレーム期間が構成されている。（２）は、前記単位時間であり、前記１フレーム期間に８つ設定されている。そして、（３）は、前記占有時間であり、１〜３の３つのスロットで構成されている。（４）〜（１１）は、前記各走査ラインＧ１〜Ｇ８で表示されるデータを示す。
【００１４】
したがって、たとえば走査ラインＧ１について見れば、先ず第１の単位時間の第１の占有時間で選択されて第１の選択時間から第３の選択時間に亘って第１のビットデータが表示され、次に第２の単位時間の第２の占有時間で選択されて第５の選択時間から第１０の選択時間に亘って第２のビットデータが表示され、続いて第４の単位時間の第３の占有時間で選択されて第１２の選択時間から第２３の選択時間に亘って第３のビットデータが表示されて、前記１フレーム期間が終了する。そして、各ビットのデータが設定される前の占有時間には、データラインのデータ状態とは独立に、『Ｂ』で示すブランクデータが書込まれ、それまでの電気光学素子の表示データが消去され、初期化されている。
【００１５】
この結果、１フレーム期間を構成する２４選択期間（＝走査ライン８×ビット数３）と、第１〜第３のビットデータの表示期間の合計２１選択期間（＝３＋６＋１２）との差が、ブランキング期間として非表示状態となる。
【００１６】
こうして、選択時間で見れば、３：６：１２＝１：２：４＝２０　：２１　：２２　の各ビットの表示期間の比率を、各ビットの重みに正確に合わせた階調表示が実現されている。
【００１７】
さらにまた、他の例では、１：２：４：８の階調表示の例も示されており、さらに前記ブランクデータ『Ｂ』で初期化してから次のビットデータを表示させるまでの期間を各２選択時間以上に増やしたり、各ビットで異ならせることで、８の倍数以外の任意の走査ライン数をグループとしての制御が可能となっている。このように、特許文献２に示される駆動方法を用いれば、各ビットの重みに比例した表示期間の比率を得ることができる。
【００１８】
【特許文献１】
特開昭６３−２２６１７８号公報
【００１９】
【特許文献２】
特開平９−１２７９０６号公報
【００２０】
【発明が解決しようとする課題】
しかしながら、上記特許文献２の構成では、１フレーム期間における各階調レベルのそれぞれを、所望の値に設定できる一方で、走査ラインの数、または、電気光学素子の構成が制限されてしまうという問題を生ずる。
【００２１】
具体的には、上記特許文献２の第１実施例の構成では、１画素に表示できる階調数Ｒ＝４の場合、各ビットの重みを前記１：４：１６（１：Ｒ：Ｒ２　）等とするので、走査ライン数×ビット数が２１（＝１＋４＋１６）の倍数に設定する必要があるという制約がある。この点、その第２実施例以降では、ブランク走査を用いるので、前記走査ライン数×ビット数／ΣＲｎ　（重み比率Ｒの比率の合計）＝整数という制約はなくなるが、代わりに表示データの書込み走査とは独立した初期化走査を行う必要があるという制約が発生する。
【００２２】
ここで、この特許文献２では、電気光学素子として強誘電性液晶を用いる場合に則して説明しているため、前記ブランク走査を容易に設定することができるが、ＴＮ（Ｔｗｉｓｔｅｄ　Ｎｅｍａｔｉｃ）液晶等の他の液晶を用いる場合や、有機ＥＬ（Ｅｌｅｃｔｒｏ　Ｌｕｍｉｎｅｓｃｅｎｃｅ）を用いる場合には、適用できないという問題もある。
【００２３】
これを詳しく説明すると、前記強誘電性液晶では単純マトリクス駆動を用い、走査ラインに負極性の電圧を印加することでブランク表示（初期化）を実現することができる。このため、表示用のビットデータの書込みのための走査ラインの選択と、前記初期化のための選択とを同時に行うことができ、たとえば前記図１８において、第１の単位時間の第１の占有時間では、書込みを行うべき走査ラインＧ１には正極性の電圧が印加され、初期化を行う走査ラインＧ８には前記負極性の電圧が印加される。したがって、選択時間が増加することなく、前記ブランク走査を容易に設定することができる。
【００２４】
これに対して、前記ＴＮ液晶や有機ＥＬ等を用いる場合、走査ラインの印加電圧を変えるだけでは、非同期で初期化することはできない。したがって、前記ＴＮ液晶や有機ＥＬ等では、表示用のビットデータの書込み走査とは独立した初期化走査を行うために、たとえば特開２０００−２２１９４２号公報や特開２００１−２４２８２７号公報で示されるように、各電気光学素子毎に初期化用ＴＦＴ（Ｔｈｉｎ　Ｆｉｌｍ　Ｔｒａｎｓｉｓｔｏｒ）を配置する必要がある。その様子を、図１９および図２０に示す。
【００２５】
すなわち、図１９は電気光学素子として前記強誘電性液晶以外の液晶を用いた場合の例であり、各ビットデータはソースラインＳｊへ出力され、ゲートラインＧｉによって選択されたゲートＴＦＴ１を通して電気光学素子ＬＣＤへ印加される。そして、この電気光学素子ＬＣＤの電位は、選択ラインＥｉで選択された初期化ＴＦＴ２を通して、初期化ラインＤｊの電位に初期化される。
【００２６】
また、図２０は電気光学素子として有機ＥＬを用いた場合の例であり、各ビットデータはソースラインＳｊへ出力され、ゲートラインＧｉによって選択されたゲートＴＦＴ１を通してコンデンサＣへ印加される。このコンデンサＣの電位によって駆動ＴＦＴ３のソース−ドレイン抵抗が変化し、電源ラインＰｊから電気光学素子ＬＥＤへ流れる電流が設定される。そして、このコンデンサＣの電位は、前述のように、選択ラインＥｉで選択された初期化用ＴＦＴ２を通して、電源ラインＰｊの電位に初期化される。
【００２７】
このように、上記特許文献２の第２の駆動方法をアティブマトリクス型の表示装置に実現する場合には、初期化用ＴＦＴ２と、選択ラインＥｉおよび初期化ラインＤｊとが新たに必要になるという問題がある。この場合、液晶表示装置では、開口率が小さくなり、特にバックライトを使用する液晶パネルでは発光効率が低下する。また、有機ＥＬ表示装置では、発光面積が小さくなり、パネル全体で所望の輝度を得るために、より大きな輝度で点灯させる必要があり、素子の寿命が短くなる。
【００２８】
本発明は、上記の問題点に鑑みてなされたものであり、その目的は、フレーム間出力の各段階のそれぞれを所望の値に設定可能な電気光学装置の範囲を拡大可能な電気光学装置の駆動装置、それを用いた表示装置、その駆動方法、並びに、その重みの設定方法を提供することにある。
【００２９】
【課題を解決するための手段】
本発明に係る電気光学装置の駆動装置は、上記課題を解決するために、複数の走査ラインと少なくとも１つのデータラインとの組み合わせに対応して設けられた電気光学素子であって、それぞれＲ段階（Ｒは、２以上の整数）の出力が可能な電気光学素子を有する電気光学装置を駆動する駆動装置であり、順次選択されている上記複数の走査ラインのうちの現在選択されている走査ラインに対応する電気光学素子へ、次に指示データが供給されるまでの出力期間における出力を示す指示データを、当該電気光学素子に対応するデータラインを介して供給する駆動手段を備え、上記駆動手段は、１フレーム期間中に各電気光学素子毎にＡ回（Ａは、２以上の整数）ずつ、上記指示データＢ１〜Ｂａを供給することによって、１フレーム期間全体における電気光学素子の出力としてのフレーム間出力を制御し、上記駆動手段は、あるデータラインへ連続して供給されるＡ個の指示データに指示データＢ１〜Ｂａが各１回ずつ出現するように、上記走査ラインを選択する電気光学装置の駆動装置において、１フレーム期間に電気光学素子へ供給されるＡ個の指示データの組み合わせによって特定されるフレーム間出力のレベルの個数をＢとするとき、上記各指示データがフレーム間出力へ寄与する大きさを示す重みは、それぞれ、ＲＡ　＞　Ｂ　になるように設定されていることを特徴としている。
【００３０】
上記構成において、駆動手段は、上記のように、走査ラインを選択し、データラインを介して指示データを電気光学素子に供給することによって、電気光学素子の出力状態を、１フレーム期間毎にＡ回変更する。これにより、フレーム間出力のレベルは、各出力期間における電気光学素子の出力の段階を、それぞれの出力期間の長さに応じた重みを付けて積算した値になる。したがって、電気光学素子がＲ段階しか出力できないにも拘わらず、各指示データの組み合わせによって、１フレーム期間全体における電気光学素子の出力（フレーム間出力）を、Ｒ段階より多いＢ段階に制御できる。
【００３１】
また、上記フレーム間出力は、各出力期間における電気光学素子の出力の段階と、出力期間の長さに応じた重みとに応じて制御されるので、電気光学素子の出力をＢ段階に制御する場合よりも、高精度にフレーム間出力を制御できる。
【００３２】
ここで、上述のように駆動する場合、ある走査ラインを選択している期間中は、他の走査ラインに対応する電気光学素子へ指示データを与えることができない。したがって、Ｂ＝ＲＡ　になり、しかも、フレーム間出力の各段階のそれぞれが所望の値になるように、各指示データの重みを調整しようとすると、電気光学装置の走査ラインの数が制限され、駆動可能な電気光学装置が限定されてしまう。
【００３３】
これに対して、上記構成の電気光学装置の駆動装置では、ＲＡ　＞　Ｂになるように、各指示データの重みが設定されている。したがって、Ｂ＝ＲＡ　になるように各指示データの重みを設定する場合と比較して、フレーム間出力の各段階のそれぞれを所望の値に設定可能な走査ライン数の種類を増やすことができ、フレーム間出力の各段階のそれぞれを所望の値に設定可能な電気光学装置の範囲を拡大できる。
【００３４】
一例として、図１７に示すように、電気光学素子が４階調表示可能で、各電気光学素子に１フレーム期間毎に３回、指示データとしての階調データを指示する場合、上述の特許文献２では、それぞれの重みを１：４：１６に設定することによって、６４階調中の各階調間の差が互いに同じ値になるように（１ずつ増加するように）設定している。また、そのために、特許文献２の第１実施例（特許文献２の図１参照）では、走査ライン数×階調データの指示回数（＝７×３＝２１）が重み比率の合計値（１＋４＋１６＝２１）を整数倍した値になるように設定された表示装置を用いており、特許文献２の第２実施例以降（特許文献２の図２以降参照）では、特別な構成（独立した初期化走査のための構成や走査ラインおよびデータラインとは別の初期化ラインなど）を設けた表示装置を用いている。この結果、各階調を所望の値に設定可能な表示装置が限定されている。なお、上述の特許文献１の構成では、それぞれの重みを、１：２：４：８に設定して１６階調表示を実現しようとしているにも拘わらず、実際には、それぞれの重みは、５：９：１７：２９に設定されており、１６階調のそれぞれのレベルは、所望の値（入力ビットに対して線形な値）にならず、誤差を含んでいる。
【００３５】
これに対して、例えば、本願では、例えば、１：２：４：７：１５：２５のように、走査ラインに対応する指示データがデータラインに送付されるタイミング（選択期間）が互いに重なり合わず、しかも、所望の値として、５４階調中のそれぞれのレベルが線形になるように、各階調データの重みを設定している。この場合は、階調数ＢがＲＡ　＝６４階調から５４階調へとやや減少するが、その減少率は、ＲＡ　が増加すればする程、低下していき、上述の数値例では、１６％の低下になっているが、例えば、ＲＡ　が２５６のときに、上記タイミングが重ならないようにするために、Ｂ＝２５０に設定した場合では、低下率は、２．３％に過ぎない。また、表示可能な階調中では、各階調が所望の値に設定されているので、特許文献１の構成と異なり、誤差が発生しない。これらの結果、出力結果（例えば、表示画像）は、特許文献２の場合と、それ程差がないことが多いにも拘わらず、特許文献２の構成とは異なり、走査ラインが７の倍数以外の表示装置にも使用できる。また、データラインとは別の初期化ライン、あるいは、データラインに供給されている階調データを読み込むために走査ラインを選択する動作と同時に、他の走査ラインを初期化のために選択する動作を行うための回路も不要である。したがって、各表示階調のそれぞれを所望の値に設定可能な表示装置の範囲を拡大できる。なお、走査ライン数が異なる場合には、当該走査ラインに合わせて、階調数ＢをＲＡ　から減少させればよい。
【００３６】
さらに、上記構成に加えて、１フレーム期間に上記電気光学素子へ供給される指示データの重みを小さい順に並べ、１以上の整数をＧとし、１以上、Ｇ×（Ｒ−１）以下の整数をｎとするとき、互いに隣接する指示データ対の中に、両者の重みの比率が、Ｇ：Ｇ×Ｒ−ｎになる指示データ対が含まれるように、上記１フレーム期間に供給される各指示データの重みが設定されていてもよい。
【００３７】
当該構成では、上述のように、走査ラインを選択し、データラインを介して指示データを電気光学素子に供給しており、しかも、その制約の中で、重みの比率がＧ：Ｇ×Ｒ−ｎになる指示データ対が含まれている。これらの結果、走査ライン数×ビット数／（総ての指示データの重みの合計）は、整数となる。
【００３８】
この場合も、ＲＡ　＞　Ｂになるように、各指示データの重みが設定されているので、フレーム間出力の各段階のそれぞれを所望の値に設定可能な電気光学装置の範囲を拡大できる。
【００３９】
また、上記重みの比率がＧ：Ｇ×Ｒ−ｎになる指示データ対を含む構成に代えて、あるいは、加えて、１フレーム期間に上記電気光学素子へ供給される指示データのうち、少なくとも１つの重みが０に設定されていてもよい。
【００４０】
当該構成では、少なくとも１つの指示データの重みが０なので、ＲＡ　＞　Ｂになる。したがって、フレーム間出力の各段階のそれぞれを所望の値に設定可能な電気光学装置の範囲を拡大できる。
【００４１】
また、指示データの１つが重み０の指示データになるので、指示データを電気光学素子へ供給するための走査と独立した初期化走査が不要になる。さらに、指示データの重みが０なので、指示データに対応する出力期間の長さを変更しても、フレーム間出力には影響しない。したがって、フレーム間出力の各段階の値を変更することなく、重みが０の指示データに対応する出力期間の長さを、互いに異なる走査ラインに対応する指示データがデータラインに送付されるタイミング（選択期間）が互いに重なり合わず、しかも、走査ラインの数に合った長さに調整できる。この結果、フレーム間出力の各段階のそれぞれを所望の値に設定可能な電気光学装置の範囲をさらに拡大できる。
【００４２】
さらに、上記各構成に加えて、上記駆動手段が、同一フレーム期間に、あるデータラインへ連続して供給するＡ個の指示データの順番は、重みの順番で互いに隣接している指示データ対の中に、当該データラインへ供給する順番では、互いに隣接しない指示データ対が含まれるように設定されていてもよい。
【００４３】
当該構成では、重みの順番で互いに隣接している指示データ対の中に、当該データラインへ供給する順番では、互いに隣接しない指示データ対が含まれるので、互いに異なる走査ラインに対応する指示データがデータラインに送付されるタイミング（選択期間）が互いに重なり合わないように各指示データの重みを調整する際、これら両指示データの重みを調整しやすい。したがって、より柔軟に走査ラインを選択するタイミングを設定でき、フレーム間出力の各段階のそれぞれを所望の値に設定可能な電気光学装置の範囲をさらに拡大できる。
【００４４】
また、上記所望の値は、どのような値であってもよいが、上記各構成に加えて、上記１フレーム期間に供給される各指示データの重みは、さらに、上記各指示データによって特定可能で、互いに異なるレベルのフレーム間出力を、低いレベルから順番に並べたとき、互いに隣接するフレーム間出力同士のレベル差が、予め定められた固定値となるように設定されていてもよい。
【００４５】
当該構成では、互いに異なるレベルのフレーム間出力を、低いレベルから順番に並べたとき、互いに隣接するフレーム間出力同士のレベル差が、予め定められた固定値になるように、上記各指示データの重みが設定されている。
【００４６】
一例として、レベルが低い順に並べたときに、ｐ番目となる指示データの重みを、Ｗ（ｐ）とするとき、全てのＷ（ｐ）について、Ｗ（１）からＷ（ｐ−１）までの合計値αを、Ｗ（ｐ）から引いた値をβ、０以外の重みのうち、最小の重みをＫとするとき、β／Ｋが、１以下の整数（負の数を含む）になるように、各重みを設定した場合、上記フレーム間出力同士のレベル差が固定値になる。
【００４７】
したがって、フレーム間出力のレベルを小さい順番に並べた場合に、順番に対する、フレーム間出力のレベルの特性は、線形になる。この結果、入力されたデータに応じた順番のフレーム間出力を出力するための指示データの組み合わせを、電気光学素子へ供給することによって、入力されたデータに対する、フレーム間出力の特性を線形にすることができ、線形な特性を持った電気光学装置を実現できる。
【００４８】
ところで、上記各電気光学装置の駆動装置は、上述の構成の電気光学装置であれば、任意の電気光学装置を駆動する駆動装置であってもよいが、好適な一例として、上記駆動手段は、上記電気光学素子としての表示素子へ、上記指示データとしての階調データを供給してもよい。
【００４９】
具体的には、本発明に係る表示装置は、表示素子として、複数の走査ラインと少なくとも１つのデータラインとの組み合わせに対応して設けられた電気光学素子であって、それぞれＲ段階（Ｒは、２以上の整数）の出力が可能な電気光学素子を有する電気光学装置と、当該電気光学装置を駆動する上述の駆動装置とを有し、上記駆動手段は、指示データとして、各電気光学素子の階調データを供給することを特徴としている。
【００５０】
ここで、上記表示装置では、必要な走査ラインの数は、所望の解像度に応じて変化するため、走査ラインの数が種々に設定された表示装置が存在している。また、１フレーム期間全体で表示可能な階調の数は、近年の多階調表示への要求に伴なって、例えば、赤の階調で２５６階調など、比較的大きな値に設定されることが多いので、フレーム間出力の各段階のそれぞれが所望の値になるように、フレーム間出力の数ＢをＲＡ　よりも小さい数に設定したとしても、階調数低下による表示画像の劣化は、殆ど発生しない。この結果、より広い範囲の走査ライン数の表示装置において、各階調のレベルを所望の値にできる。
【００５１】
また、上記構成に加えて、１フレーム期間に上記電気光学素子へ供給される指示データのうち、少なくとも１つの重みが０に設定されており、しかも、上記重み０の指示データに対応する出力期間は、上記１フレーム期間の１／４以上に設定されていてもよい。
【００５２】
当該構成では、重み０の指示データに対応する出力期間が１フレーム期間の１／４以上に設定されている。したがって、以下の現象、すなわち、時間分割階調表示した動画像を視線が追うことによって、各指示データ（階調データ）に対応する電気光学素子の発光期間が重なり、動画偽輪郭として視認されるという現象の発生を抑えることができる。
【００５３】
特に、電気光学素子が有機ＥＬの場合、発光期間を１／２程度にする代わりに発光輝度を２倍に設定しても、単位面積当たりの平均輝度が変わらなければ、その劣化特性は殆ど変化しないので、電気光学素子として、有機ＥＬを用いる場合、上記構成を採用することによって、表示装置の寿命を延長し、動画偽輪郭の発生を抑制できる。
【００５４】
なお、この場合であっても、重みが０の階調データに対応する出力期間の長さを調整するだけでよいので、比較的自由に当該出力期間の長さを設定できる。また、上述したようなデータラインとは別の初期化ライン、あるいは、データラインに供給されている階調データを読み込むために走査ラインを選択する動作と同時に、他の走査ラインを初期化のために選択する動作を行うための回路も不要である。
【００５５】
また、上記構成に加えて、上記駆動手段は、同一フレーム期間にて、上記フレーム間出力が互いに同一の電気光学素子に対して、互いに異なる複数組の組み合わせの指示データのうち、いずれかの組み合わせの指示データを供給すると共に、当該上記電気光学素子のうち、少なくとも１つは、他とは異なる組み合わせの指示データを供給してもよい。
【００５６】
当該構成では、同一フレーム期間において、フレーム間出力が互いに同一の電気光学素子の組には、互いに異なる組み合わせの指示データが供給される電気光学素子が含まれている。したがって、動画像を視線が追うことによって発生する動画偽輪郭の発生を抑えることができる。なお、どの電気光学素子へ、どの組み合わせを供給するかを、１フレーム期間単位で変化させると、上記動画偽輪の発生を、さらに抑制できる。
【００５７】
また、本発明に係る表示装置は、Ｒ階調（Ｒは２以上の整数）表示可能な電気光学素子がマトリックス状に配列され、前記各電気光学素子の表示状態が１フレーム期間にＡ回（Ａは４以上の整数）設定されることで、該各電気光学素子でＢ階調表示（Ｂ＞Ｒなる整数）を実現するようにしたマトリックス型の表示装置において、前記Ａ個のビットデータの重みの比率をＲ倍で増やすのではなく、そのＲ０　：Ｒ１　：…：Ｒｍ　−ｎ：…（ｍは２以上の整数、ｎは１以上の整数）等、階調重みの増加の比率を、Ｒの乗数から減らし、これにより、最小ビット重みを１としたときの総てのビット重みの比率を、
走査ライン数×ビット数／（総てのビット重み）＝整数
とすることを特徴とする。
【００５８】
上記の構成によれば、マトリックス型の表示装置において、Ｒ階調表示可能な電気光学素子を用いてＢ階調表示を実現するにあたって、従来では、できるだけ少ないビット数で、多くの階調を表現しようとして、たとえば１：２：４：８：…（すなわち、２０　：２１　：２２　：２３　：…）のように、連続するＡ個のビットデータを重みの軽い順に並べた場合に、総てＲの階乗（Ｒ０　：Ｒ１　：Ｒ２　：Ｒ３　：…）としていたビット間の重み比率を、本発明では、たとえば１：２：４：７：…（すなわち、２０　：２１　：２２　：２３　−１：…）のように、Ｒ０　：Ｒ１　：…：Ｒｍ　−ｎ：…とし、第３ビット以降の少なくとも１箇所で、その関係を崩す（たとえば第３ビットの重み比率をＰとし、第４ビットの重み比率をＱとするとき、Ｐ×Ｒ≠Ｑ、かつＰ×Ｒ＞Ｑ）。
【００５９】
具体的には、前記Ａ個のビットデータを用いる場合、先ず１つのラインを選択する時間を１選択時間とし、それをＡ個組合わせて１つの制御の単位時間とする。そして、各単位時間の１番目の選択時間を占有時間０とし、２番目の選択時間を占有時間１とし、…Ａ番目の選択時間を占有時間Ａ−１として、各ラインをそれぞれ選択するためのタイムスロットとする。さらに、その単位時間の制御をライン数分組合わせて１フレーム期間を構成する。
【００６０】
次に、１つの画素に着目したとき、その画素に書込まれる前記Ａ個のビットデータの重みが、従来では、軽いデータから重いデータの順に、占有時間が０→１→２→…Ａ−１の順に割当てられていたのを、本発明では、たとえば図９の０→１→３→４→２→５のように、大きくなったり小さくなったりする。そして、特に下位（１〜３位）のビットデータの重みに正確に対応した選択時間が得られるように、かつ各ビットデータ間で占有時間が重ならないように、単位時間内での占有時間を決定する。そのために、Ａ個のビットデータの重み比率を、初期値の前記Ｒ０　：Ｒ１　：Ｒ２　：Ｒ３　：…から変化し、前記Ｒ０　：Ｒ１　：…：Ｒｍ　−ｎ：…（ｍは２以上の整数、ｎは１以上の整数）とする。
【００６１】
こうして、たとえば図９の駆動方法では、各ビット間の重み比率を２（Ｒ＝２）とするとき、従来では１：２：４：８：１６：３２としようとしていたところ、１：２：４：７：１５：２５として、６４階調表示から５４階調表示に、１６％程度表示階調数が低下しても、３ビットより下位ではビット重み比率が厳密に維持されているので、実際に認識される画像にそれ程差がなく、各走査ラインのデータ転送タイミングが相互に重なり合わない時間分割階調走査タイミングを得ることができる。
【００６２】
さらにまた、前記電気光学素子としてＴＮ液晶や有機ＥＬ等を用いたアクティブマトリクス型の表示装置では、初期化用ＴＦＴ、その選択ラインおよび初期化データのためのライン等を用いることなく、前記所望とするビット重み比率で比較的正確な時間分割階調表示を実現することができる。
【００６３】
これにより、各階調のそれぞれを所望の値に設定可能な走査ライン数および電気光学素子の構成の範囲が拡大された表示装置を実現できる。さらに、前記特許文献２とは異なる方法を用いて、上述の初期化用ＴＦＴ（図１９および図２０のＴＦＴ２など）を用いず、『データビットの重み比率＝表示ビットの表示期間比率』となる時間分割階調駆動方法で駆動される表示装置を実現できる。
【００６４】
また、上記構成に加えて、前記Ａ個のビットデータのうちの少なくとも１つが、重み０のデータであってもよい。
【００６５】
上記の構成によれば、初期化走査のビットデータを少なくとも１つ含めて前記単位時間内の占有時間を決定するので、前記電気光学素子としてＴＮ液晶や有機ＥＬ等を用いたアクティブマトリクス型の表示装置でも、前述の初期化用ＴＦＴ等を用いることなく、任意の走査ライン数に対応できる。すなわち、たとえば図５の駆動方法では、各ビット間の重み比率を２（Ｒ＝２）とするとき、従来では１：２：４：８としようとしていたところ、１：２：４：７：０として、表示階調数が１つ低下し、さらに初期化走査のビットデータを追加する必要があるけれども、１フレーム期間に１回だけ初期化を行うだけで、任意の走査ライン数に対応できる。時間分割階調表示を、初期用のＴＦＴ等を設けることなく実現することができる。
【００６６】
これにより、表示ビットのデータ書込み走査とは独立した初期化走査を行うことなく、任意の走査ライン数に対応できる、時間分割階調駆動の表示装置を実現できる。
【００６７】
さらにまた、本発明の表示装置は、最も重みの大きい２つのビットデータが、各電気光学素子の同一フレーム期間の始めと終わりに配置されることを特徴とする。
【００６８】
上記の構成によれば、最も重みの大きい２つのビットデータをこのように配置し、それらの重みを調整することによって、より柔軟な選択タイミングを得ることができる。これによって、１つの制御グループの走査ライン数をある程度自由に設定できるようになり、表示パネルの走査ライン数に一致した時間分割階調表示を行うことができる。また、最も重みの大きなビットデータの重みを、次に重みの大きなビットデータの重みの１．５倍程度以内とすることによって、動画像を視線が追うことで発生する動画偽輪郭を抑えることができる。
【００６９】
また、本発明の表示装置は、同一フレーム期間において、相互に隣接する電気光学素子が同一階調を表示する場合には、点灯するビットデータパターンが相互に異なることを特徴とする。
【００７０】
上記の構成によれば、時間分割階調表示した動画像を視線が追うことで発生する動画偽輪郭を抑えることができる。そして、どの電気光学素子へどちらのパターンを割当てるか、１フレーム期間単位で変化させることで、前記動画偽輪郭をより抑えることができる。
【００７１】
また、本発明に係る電気光学装置の駆動方法は、複数の走査ラインと少なくとも１つのデータラインとの組み合わせに対応して設けられた電気光学素子であって、それぞれＲ段階（Ｒは、２以上の整数）の出力が可能な電気光学素子を有する電気光学装置の駆動方法であって、順次選択されている上記複数の走査ラインのうちの現在選択されている走査ラインに対応する電気光学素子へ、次に指示データが供給されるまでの出力期間における出力を示す指示データを、当該電気光学素子に対応するデータラインを介して供給する駆動工程を含み、当該駆動工程では、１フレーム期間中に各電気光学素子毎にＡ回（Ａは、２以上の整数）ずつ、上記指示データＢ１〜Ｂａを供給することによって、１フレーム期間全体における電気光学素子の出力としてのフレーム間出力が制御され、上記駆動工程では、あるデータラインへ連続して供給されるＡ個の指示データに指示データＢ１〜Ｂａが各１回ずつ出現するように、上記走査ラインが選択される電気光学装置の駆動方法において、１フレーム期間に電気光学素子へ供給されるＡ個の指示データの組み合わせによって特定されるフレーム間出力のレベルの個数をＢとするとき、上記各指示データがフレーム間出力へ寄与する大きさを示す重みは、それぞれ、　ＲＡ　＞　Ｂ　になるように設定されていることを特徴としている。
【００７２】
当該方法で電気光学装置を駆動する装置は、上述の電気光学装置の駆動装置になるので、上述した電気光学装置の駆動装置と同様に、Ｂ＝ＲＡ　になるように各指示データの重みを設定する場合と比較して、フレーム間出力の各段階のそれぞれを所望の値に設定可能な走査ライン数の種類を増やすことができ、フレーム間出力の各段階のそれぞれを所望の値に設定可能な電気光学装置の範囲を拡大できる。
【００７３】
また、本発明に係る表示装置の駆動方法は、上記課題を解決するために、Ｒ階調（Ｒは２以上の整数）表示可能な電気光学素子がマトリックス状に配列されたマトリックス型の表示装置の駆動方法であって、前記各電気光学素子の表示状態を１フレーム期間にＡ回（Ａは４以上の整数）設定することによって、該各電気光学素子でＢ階調表示（Ｂ＞Ｒなる整数）を実現する駆動工程を含む表示装置の駆動方法において、前記駆動工程にて、前記Ａ個のビットデータは、相互に異なるビットに対応したデータであり、かつ、Ｒ０　：Ｒ１　：…：Ｒｍ　−ｎ：…（ｍは２以上の整数、ｎは１以上の整数）の関係を有することを特徴としている。
【００７４】
当該方法で表示装置を駆動すると、当該表示装置は、上述の表示装置になるので、当該表示装置と同様に、前記所望とするビット重み比率で比較的正確な時間分割階調表示を実現可能な表示装置の範囲を拡大できる。
【００７５】
また、これにより、前記特許文献２とは異なる方法を用いて、上述の初期化用ＴＦＴ（図１９および図２０のＴＦＴ２など）を用いず、『データビットの重み比率＝表示ビットの表示期間比率』となる時間分割階調駆動方法を実現できる。
【００７６】
さらに、上記構成に加えて、前記Ａ個のビットデータのうちの少なくとも１つを、重み０のデータにすることによって、表示ビットのデータ書込み走査とは独立した初期化走査を行うことなく、任意の走査ライン数に対応できる時間分割階調駆動方法を実現できる。
【００７７】
さらに、本発明に係る電気光学装置の駆動装置の重み設定方法は、複数の走査ラインと少なくとも１つのデータラインとの組み合わせに対応して設けられた電気光学素子であって、それぞれＲ段階（Ｒは、２以上の整数）の出力が可能な電気光学素子を有する電気光学装置を駆動する駆動装置であり、順次選択されている上記複数の走査ラインのうち、現在の選択期間にて選択されている走査ラインに対応する電気光学素子へ、次に指示データが供給されるまでの出力期間における出力を示す指示データを、当該電気光学素子に対応するデータラインを介して供給する駆動手段を備え、上記駆動手段は、１フレーム期間中に各電気光学素子毎にＡ回（Ａは、２以上の整数）ずつ、上記指示データＢ１〜Ｂａを供給することによって、１フレーム期間全体における電気光学素子の出力としてのフレーム間出力を制御し、上記駆動手段は、あるデータラインへ連続して供給されるＡ個の指示データに指示データＢ１〜Ｂａが各１回ずつ出現するように、上記走査ラインを選択する電気光学装置の駆動装置における重み設定方法において、上記課題を解決するために、以下の手段を講じたことを特徴としている。
【００７８】
すなわち、上記各指示データがフレーム間出力へ寄与する大きさを示す重みを、重みの小さい指示データから順番に並べたときに、前の順番のＲ倍となるように、初期設定する工程と、上記順番で最初の指示データの出力期間を開始する選択期間として、予め定められた選択期間を割り当てる工程と、未だ、選択期間を割り当てていない指示データが存在する間、繰り返されると共に、上記指示データの重みに応じて、当該指示データに対応する出力期間の長さを決定し、当該出力期間が終わったときの選択期間を、次の指示データの出力期間が開始される選択期間として割り当てる割り当て工程と、上記割り当て工程にて割り当てた、次の指示データの選択期間が、これまでに割り当てた選択期間と一致しているか否かを判定する判定工程と、一致している場合、上記割り当て工程にて出力期間の長さを決定した指示データ、あるいは、それまでに出力期間の長さを決定した指示データの重みを軽くして、次の指示データに割り当てる選択期間、および、これまでに指示データが割り当てられた選択期間が、相互に重ならないように調整する調整工程とを含んでいる。
【００７９】
当該構成では、次の指示データの選択期間が、これまでに割り当てた選択期間と一致している場合、上記割り当て工程にて出力期間の長さを決定した指示データ、あるいは、それまでに出力期間の長さを決定した指示データの重みを軽くして、次の指示データに割り当てる選択期間、および、これまでに指示データが割り当てられた選択期間が、相互に重ならないように調整される。
【００８０】
この結果、走査ラインが、どのような値であっても、互いに異なる走査ラインに対応する指示データがデータラインに送付されるタイミング（選択期間）が互いに重なり合わない程度に、フレーム間出力の数Ｂが、ＲＡ　よりも小さく設定されると共に、フレーム間出力の各段階を低いレベルから順に並べたときに、隣接する段階同士の差を固定値にすることができる。
【００８１】
したがって、電気光学装置の駆動装置が電気光学素子を駆動するときの当該重みを、上記設定方法で決定されたように設定することによって、フレーム間出力の各段階のそれぞれを所望の値に設定可能な電気光学装置の範囲が拡大された電気光学装置の駆動装置を実現できる。
【００８２】
また、上記構成に加えて、上記調整工程は、当該順番の指示データよりも軽い重みの指示データの重みを軽くする前に、次に選択期間を割り当てる指示データを、未だ選択期間が割り当てられていない指示データの中のいずれかに変更することによって、次の指示データに割り当てる選択期間、および、これまでに指示データが割り当てられた選択期間が、相互に重ならないように調整する順番変更工程を含んでいてもよい。
【００８３】
当該構成では、重みを軽くする前に、選択期間を割り当てる指示データの順番を変更して、各選択期間の重複の排除を試みるので、選択期間を割り当てる順番を固定する場合よりも、フレーム間出力の数を増やすことができる。
【００８４】
なお、既に割り当てられた指示データを、未だ選択期間が割り当てられていない指示データの中のいずれかに変更することによって、次の指示データに割り当てる選択期間、および、これまでに指示データが割り当てられた選択期間が、相互に重ならないように調整してもよい。この場合でも、重みを軽くする前に、選択期間を割り当てる指示データの順番を変更して、各選択期間の重複の排除を試みるので、選択期間を割り当てる順番を固定する場合よりも、フレーム間出力の数を増やすことができる。
【００８５】
【発明の実施の形態】
本発明の実施の一形態について、図１〜図１５、および、図２１〜図３０に基づいて説明すれば、以下のとおりである。
【００８６】
すなわち、本実施形態に係る表示装置１１は、上述の特許文献２の構成では、走査できない走査ラインの数と電気光学素子の構造との組み合わせを有しているにも拘わらず、各階調レベルのそれぞれが高精度に設定されている表示装置であって、図２１に示すように、マトリクス状に配された画素ＰＩＸ（１，１）　〜ＰＩＸ（Ｙ，Ｘ）　を有する画素アレイ１２と、画素アレイ１２のデータラインＳ１〜ＳＸを駆動するデータライン駆動回路１３と、画素アレイ１２の走査ラインＧ１〜ＧＹを駆動する走査ライン駆動回路１４と、両駆動回路１３・１４へ電力を供給する電源回路１５と、映像信号源２１からの映像信号ＤＡＴに応じた映像信号をデータライン駆動回路１３へ供給すると共に、上記両駆動回路１３・１４へ制御信号（それぞれへのスタートパルスＳＳＰ、ＧＳＰ、クロック信号ＳＣＫ、ＧＳＫなど）を供給する制御回路１６とを備えている。なお、上記両駆動回路１３・１４が特許請求の範囲に記載の駆動手段に対応し、画素アレイ１２が電気光学装置に対応する。
【００８７】
以下では、上記両駆動回路１３・１４によるデータラインおよび走査ラインの駆動方法の詳細について説明する前に、表示装置１１全体の概略構成および動作を説明する。また、説明の便宜上、例えば、ｊ番目のデータラインＳｊのように、位置を特定する必要がある場合にのみ、位置を示す数字または英字を付して参照し、位置を特定する必要がない場合や総称する場合には、位置を示す文字を省略して参照する。
【００８８】
上記画素アレイ１２は、複数（この場合は、Ｘ本）のデータラインＳ１〜ＳＸと、各データラインＳ１〜ＳＸに、それぞれ交差する複数（この場合は、Ｙ本）の走査ラインＧ１〜ＧＹとを備えており、１からＸまでの任意の整数をｊ、１からＹまでの任意の整数をｉとすると、データラインＳｊおよび走査ラインＧｉの組み合わせ毎に、画素ＰＩＸ（ｉ，ｊ）　が設けられている。
【００８９】
本実施形態の場合、各画素ＰＩＸ（ｉ，ｊ）　は、隣接する２本のデータラインＳ（ｊ−１）　・Ｓｊと、隣接する２本の走査ラインＧ（ｉ−１）　・Ｇｉとで囲まれた部分に配されている。
【００９０】
上記画素ＰＩＸ（ｉ，ｊ）　は、例えば、図１または図２に示すように構成されている。具体的には、図１は、本実施形態に係る表示装置１１の１画素領域の等価回路図であり、前記電気光学素子として前記ＴＮ液晶等の強誘電性液晶以外の液晶素子ＬＣＤを用いた例である。なお、図１では、前記図１９の構成から、初期化用のＴＦＴ２ならびに選択ラインＥｉおよび初期化ラインＤｊがなくなっており、図１の構成で、図１９の構成に対応する部分には、同一の参照符号を付して示す。
【００９１】
すなわち、上記表示装置１１は、アクティブマトリックス型の表示装置であり、上記画素ＰＩＸ（ｉ，ｊ）　において、データラインＳｊと走査ラインとしてのゲートラインＧｉとの交点には、メモリ性を持たない前記電気光学素子としての液晶素子ＬＣＤが配置されている。また、画素ＰＩＸ（ｉ，ｊ）　には、画素ＰＩＸ（ｉ，ｊ）　にメモリ性を与えるためのＴＦＴ１が配置されている。なお、図１において、Ｒｅｆは対向電極である。また、前記図１の構成に関しては、特開平６−１４８６１６号公報等などで詳しく述べられているので、ここではその詳細な説明は省略する。
【００９２】
上記図１の構成では、各ビットデータはデータラインＳｊへ出力され、ゲートラインＧｉによって選択されたゲートＴＦＴ１を通して電気光学素子ＬＣＤへ印加される。より詳細に説明すると、走査ラインＧｉが選択されると、上記画素ＰＩＸ（ｉ，ｊ）　において、ＴＦＴ１が導通し、データラインＳｊに印加された電圧が液晶素子ＬＣＤへ印加される。一方、当該走査ラインＧｉの選択期間が終了して、ＴＦＴ１が遮断されている間、液晶素子ＬＣＤは、遮断時の電圧を保持し続ける。ここで、液晶の透過率あるいは反射率は、液晶素子ＬＣＤに印加される電圧によって変化する。したがって、走査ラインＧｉを選択し、当該画素ＰＩＸ（ｉ，ｊ）　へのビットデータに応じた電圧をデータラインＳｊへ印加すれば、当該画素ＰＩＸ（ｉ，ｊ）　の表示状態を、ビットデータに合わせて変化させることができる。なお、ビットデータは、画素ＰＩＸ（ｉ，ｊ）　へ指示する階調を示すデータである。
【００９３】
一方、図２は、前記電気光学素子として前記有機ＥＬ素子ＬＥＤを用いた例である。この構成例では、前記図２０の構成から、初期化用のＴＦＴ２ならびに選択ラインＥｉおよび初期化ラインＤｊがなくなっている。なお、図２の構成で、図２０の構成に対応する部分には、同一の参照符号を付して示す。
【００９４】
すなわち、上記表示装置１１は、アクティブマトリックス型の表示装置であり、上記画素ＰＩＸ（ｉ，ｊ）　には、データラインＳｊとゲートラインＧｉとの交点にメモリ性を持たない前記有機ＥＬ素子ＬＥＤが配置されるとともに、それらにメモリ性を与えるためのＴＦＴ１が配置されている。なお、図２において、Ｒｅｆは対向電極である。また、前記図２の構成に関しては、特開平１１−１７６５８０号公報等などで詳しく述べられているので、ここではその詳細な説明は省略する。さらに、アクティブ素子であるＴＦＴ１，３の構成に関しては、例えば、特開平１０−３０１５３６号公報などで詳しく述べられているので、ここではその詳細な説明は省略する。
【００９５】
上記図２の構成では、各ビットデータはソースライン（データライン）Ｓｊへ出力され、ゲートラインＧｉによって選択されたゲートＴＦＴ１を通してコンデンサＣへ印加される。このコンデンサＣの電位によって駆動ＴＦＴ３のソース−ドレイン抵抗が変化し、電源ラインＰｊから電気光学素子ＬＥＤへ流れる電流が設定される。
【００９６】
より詳細に説明すると、走査ラインＧｉが選択されると、上記画素ＰＩＸ（ｉ，ｊ）　において、ＴＦＴ１が導通し、データラインＳｊに印加された電圧が、ＴＦＴ１を介して、ＴＦＴ３のゲートとドレインとの間に配されたコンデンサＣの一端（ゲート側）に印加される。一方、当該走査ラインＧｉの選択期間が終了して、ＴＦＴ１が遮断されている間、コンデンサＣは、遮断時の電圧を保持し続ける。ここで、上記ＴＦＴ３のドレインは、電源ラインＰｊに接続されており、ソースは、上記有機ＥＬ素子ＬＥＤを介して、基準電圧Ｒｅｆに接続されている。したがって、有機ＥＬ素子ＬＥＤには、上記コンデンサＣの両端電圧に応じた量の電流が供給される。また、有機ＥＬ素子ＬＥＤの輝度は、有機ＥＬ素子ＬＥＤを流れる電流量に応じて変化する。これらの結果、走査ラインＧｉを選択し、当該画素ＰＩＸ（ｉ，ｊ）　へのビットデータＤに応じた電圧をデータラインＳｊへ印加すれば、当該画素ＰＩＸ（ｉ，ｊ）　の表示状態を、ビットデータＤに合わせて変化させることができる。
【００９７】
なお、上記では、液晶および有機ＥＬ素子ＬＥＤの場合を例にして説明したが、画素ＰＩＸ（ｉ，ｊ）　は、走査ラインＧｉに選択を示す信号が印加されている間に、データラインＳｊに印加された信号の値に応じて、画素ＰＩＸ（ｉ，ｊ）　の明るさを調整できれば、自発光か否かを問わず、他の構成の画素を使用できる。
【００９８】
上記構成において、図２１に示す走査ライン駆動回路４は、各走査ラインＧ１〜ＧＹへ、例えば、電圧信号など、選択期間か否かを示す信号を出力している。また、走査ライン駆動回路４は、選択期間を示す信号を出力する走査ラインＧｉを、例えば、制御回路１６から与えられるクロック信号ＧＣＫやスタートパルス信号ＧＳＰなどのタイミング信号に基づいて変更している。これにより、各走査ラインＧ１〜ＧＹは、予め定められたタイミングで、順次選択される。
【００９９】
さらに、データライン駆動回路１３は、映像信号ＤＡＴとして、時分割で入力される各画素ＰＩＸ…への映像データＤ…を、所定のタイミングでサンプリングすることで、それぞれ抽出する。さらに、データライン駆動回路１３は、走査ライン駆動回路４が選択中の走査ラインＧｉに対応する各画素ＰＩＸ（ｉ，１）　〜ＰＩＸ（ｉ，Ｘ）　へ、各データラインＳ１〜ＳＸを介して、それぞれへの映像データＤ…に応じた出力信号を出力する。なお、後述するように、各画素ＰＩＸ（ｉ，ｊ）　には、１フレーム期間あたりにＡ回、ビットデータが与えられ、これらのビットデータの組み合わせによって、各画素ＰＩＸ（ｉ，ｊ）　の１フレーム期間における表示階調レベルが設定されているため、上記出力信号は、より厳密には、ビットデータに応じた信号になる。
【０１００】
一方、各画素ＰＩＸ（ｉ，１）　〜ＰＩＸ（ｉ，Ｘ）　は、自らに対応する走査ラインＧｉが選択されている間に、自らに対応するデータラインＳ１〜ＳＸに与えられた出力信号に応じて、発光する際の輝度や透過率などを調整して、自らの明るさを決定する。
【０１０１】
ここで、走査ライン駆動回路４は、走査ラインＧ１〜ＧＹを順次選択している。したがって、画素アレイ１２の全画素ＰＩＸ（１，１）　〜ＰＩＸ（Ｙ，Ｘ）　を、それぞれへの映像データＤが示す明るさに設定でき、画素アレイ１２へ表示される画像を更新できる。
【０１０２】
さらに、本実施形態に係る表示装置１１では、上記走査ライン駆動回路４が、１フレーム期間毎にＡ回（Ａは、２以上の整数）ずつ、各走査ラインＧ１〜ＧＹを選択しており、これに伴なって、データライン駆動回路１３も、それぞれに対応するデータラインＳ１〜ＳＸを介して、各画素ＰＩＸ（ｉ，１）　〜ＰＩＸ（ｉ，Ｘ）　へ、１フレーム期間毎にＡ回ずつ、階調データとしてのビットデータを出力している。なお、映像データＤと、ビットデータとの関係については、重みの決定方法を説明した後で説明する。
【０１０３】
これにより、各画素ＰＩＸ（ｉ，ｊ）　が、Ｒ階調表示しかできないにも拘わらず、１フレーム期間全体を通してみると、画素ＰＩＸ（ｉ，ｊ）　の表示階調の数Ｂは、Ｒよりも多い数に設定できる。なお、１フレーム期間における表示階調は、画素ＰＩＸ（ｉ，ｊ）　が各ビットデータが示す階調で表示している期間の長さ（次のビットデータが印加されるまでの時間）に応じた重みを付けて、当該フレーム期間において画素ＰＩＸ（ｉ，ｊ）　へ印加されるＡ個のビットデータを積算した値になる。
【０１０４】
注目すべきは、本実施形態に係る表示装置１１では、前記電気光学素子ＬＣＤ，ＬＥＤがＲ階調（Ｒは２以上の整数）表示可能であり、前記ＴＦＴ１を制御することで各電気光学素子ＬＣＤ，ＬＥＤの表示状態が１フレーム期間にＡ回（Ａは２以上の整数）設定され、該各電気光学素子ＬＣＤ，ＬＥＤでＢ階調表示（Ｂ＞Ｒなる整数）を実現するようにしたアクティブマトリックス型の表示装置において、前記データラインＳｊに連続して供給されるＡ個のビットデータが相互に異なるビットに対応したデータであり、かつ、ＲＡ　＞Ｂの関係を持つように、各ビットデータの重みを設定していることである。
【０１０５】
すなわち、前記Ｒ階調表示可能な電気光学素子を用いてＢ階調表示を実現するにあたって、従来では、できるだけ少ないビット数で、多くの階調を表現しようとして、たとえば１：２：４：８：…（すなわち、２０　：２１　：２２　：２３　：…）のように、連続するＡ個のビットデータを重みの軽い順に並べた場合に、総てＲの階乗（Ｒ０　：Ｒ１　：Ｒ２　：Ｒ３　：…）としていた。
【０１０６】
このため、各データラインのデータ転送タイミングが相互に重なり合わない時間分割走査タイミングを得るためには、ビットの重みＲ、走査ラインの数または電気光学素子の構造が制限されるか、実際のビットの重みを微妙に変化させるかしていた。例えば、上述の特許文献２では、ビットの重みＲが制限されており、Ｒ＝４の場合のみ成立する。また、当該特許文献２では、上述したように、前記走査ライン数×ビット数／ΣＲｎ　（重み比率Ｒの比率の合計）＝整数という制約か、あるいは、表示データの書込み走査とは独立した初期化走査を行う必要があるという制約かが課せられる。一方、上述の特許文献１では、実際のビットの重みを微妙に変化させており、ビットの重みの比率を、５：９：１７：２９と本来のデータの重み１：２：４：８から微妙に変化させている。
【０１０７】
これに対して、上記本実施形態に係る表示装置１１では、ＲＡ　＞Ｂの関係を持つように、各ビットデータの重みを設定しているので、Ｂ＝ＲＡ　になるように各ビットデータの重みを設定する場合と比較して、重みの制限や走査ラインの数の制限、あるいは、電気光学素子の構造の制限を余り受けることなく、１フレーム期間全体の画素ＰＩＸ（ｉ，ｊ）　の階調を所望の値に設定できる。この結果、１フレーム期間全体の画素ＰＩＸ（ｉ，ｊ）　の階調を所望の値に設定可能な画素アレイ１２の範囲を拡大できる。
【０１０８】
本実施形態では、上記のように、ＲＡ　＞Ｂの関係を持つように、各ビットデータの重みを設定して走査する方法の一例（第１の走査方法）として、例えば、以下のように、各ビットデータの重みを設定している。すなわち、１以上の整数をＧとし、１以上、Ｇ×（Ｒ−１）以下の整数をｎとするとき、互いに隣接する指示データ対の中に、両者の重みの比率が、Ｇ：Ｇ×Ｒ−ｎになる指示データ対が含まれるように、上記１フレーム期間に供給される各指示データの重みが設定されている
例えば、各ビットデータの重みを小さい順に並べたときに、ビット間の重み比率を、例えば、１：２：４：７：…（すなわち、２０　：２１　：２２　：２３　−１：…）のように、Ｒ０　：Ｒ１　：…：Ｒｍ　−ｎ：…（ｍは２以上の整数、ｎは１以上の整数）とし、第３ビット以降の少なくとも１箇所で、従来の関係（Ｒの階乗の関係）を崩す（たとえば第３ビットの重み比率をＰとし、第４ビットの重み比率をＱとするとき、Ｐ×Ｒ＞Ｑ）。
【０１０９】
以下では、上記走査方法を決定するための方法（各ビットデータの重みの決定方法；第１の重み決定方法）について説明する。すなわち、前記Ａ個のビットデータを用いる場合、先ず１つのラインを選択する時間を１選択時間とし、それをＡ個組合わせて１つの制御の単位時間とする。そして、各単位時間の１番目の選択時間を占有時間０番とし、２番目の選択時間を占有時間１番とし、…Ａ番目の選択時間を占有時間（Ａ−１）番として、各ラインをそれぞれ選択するためのタイムスロットとする。さらに、その単位時間の制御をライン数分組合わせて１フレーム期間を構成する。
【０１１０】
次に、１つの画素に着目したとき、その画素に書込まれる前記Ａ個のビットデータの重みが、従来では、軽いデータから重いデータの順に、占有時間が０番→１番→２番→…（Ａ−１）番の順に割当てられていたのを、本発明では、たとえば、図３の０番→３番→２番→５番→４番のように、大きくなったり小さくなったりする。そして、特に下位（１〜３位）のビットデータの重みに正確に対応した選択時間が得られるように、かつ各ビットデータ間で占有時間が重ならないように、単位時間内での占有時間を決定する。そのために、Ａ個のビットデータの重み比率を、初期値の前記Ｒ０　：Ｒ１　：Ｒ２　：Ｒ３　：…から変化し、前記Ｒ０　：Ｒ１　：…：Ｒｍ　−ｎ：…（ｍは２以上の整数、ｎは１以上の整数）とする。
【０１１１】
以下に、前記単位時間内での占有時間の第１の重み決定方法を詳述する。先ず、前記Ａ個のビットデータの重み比率を、初期値の前記Ｒ０　：Ｒ１　：Ｒ２　：Ｒ３　：…に設定する。次に、最も軽い重み１のビットの表示期間の長さをＫ（Ｋ＜Ａの正の整数）とする。これは、Ｋ＝Ａとしてしまうと、Ａ個のビットデータの総てが、同じ占有時間となってしまうためである。
【０１１２】
さらに、たとえば第１ビットのデータの表示期間の長さを、
ｆ（１，Ｋ）≡（そのビットの重み）×Ｋ　　　　　　　　　　　…（１）
と定義し、その表示期間ｆ（１，Ｋ）の長さをビット数Ａで割った余りを、
ＲＯＴ（Ａ，ｆ（１，Ｋ））≡（ｆ（１，Ｋ）／Ａ）の余り　　　…（２）
と定義する。
【０１１３】
そして、先ず最初に表示させる第１ビットのデータの占有時間を、基準の０番とする。その表示期間の長さは、
ＲＯＴ（Ａ，ｆ（１，Ｋ））＝ＲＯＴ（Ａ，Ｋ）＝Ｋ≠０　　　　…（３）
すなわち、前記Ｋ＜Ａから、第１ビットのデータの表示が終了する占有時間は該第１ビットのデータの占有時間０番とは異なる占有時間Ｋ番となるので、次に表示させる第２ビットのデータの占有時間をＫ番に設定する。
【０１１４】
次に、その第２ビットのデータの表示期間の長さｆ（２，Ｋ）を用い、
ＲＯＴ（Ａ，ｆ（１，Ｋ）＋ｆ（２，Ｋ））≠０　　　　　　　　…（４）
ＲＯＴ（Ａ，ｆ（１，Ｋ）＋ｆ（２，Ｋ））≠Ｋ　　　　　　　　…（５）
を満たすか否かを調べ、満たさないときにはその第２ビットの重みを変化させ（１つ小さくする等し）、上記関係式が成り立つようにする。
【０１１５】
続いて、次に表示させる第３ビットのデータの占有時間をＰとし、その表示ビットの表示期間の長さｆ（３，Ｋ）を用い、
ＲＯＴ（Ａ，ｆ（１，Ｋ）＋ｆ（２，Ｋ）＋ｆ（３，Ｋ））≠０　…（６）
ＲＯＴ（Ａ，ｆ（１，Ｋ）＋ｆ（２，Ｋ）＋ｆ（３，Ｋ））≠Ｋ　…（７）
ＲＯＴ（Ａ，ｆ（１，Ｋ）＋ｆ（２，Ｋ）＋ｆ（３，Ｋ））≠Ｐ　…（８）
を満たすか否かを調べ、満たさないときにはその第３ビットの重み、または、それより重みの軽いビットの重みを変化させ（１つ小さくし）、上記式４〜８が成り立つようにする。
【０１１６】
以下、同様の操作を第Ａ−１ビットのデータまで行い、最後の第Ａビットのデータの表示期間の長さｆ（Ａ，Ｋ）を、上述の基準となる占有時間０番になるように、すなわち、
ＲＯＴ（Ａ，ｆ（１，Ｋ）＋ｆ（２，Ｋ）＋…＋ｆ（Ａ，Ｋ））＝０…（９）
となるよう決める。
【０１１７】
このようにして得られたビットのデータの順番と重みとに従い、各ビットの重みと走査ラインＧ１の選択タイミングとを設定する。そして、第１ビットの長さをＫ＋Ｇ×Ａ（Ｇは０以上の整数）とすることで、走査ラインＧｉの選択タイミングを設定する。走査ラインＧｉ＋１の選択タイミングは、走査ラインＧｉの選択タイミングからＡ選択時間遅らせた（または進めた）タイミングとし、同様の処理を最後の走査ラインまで繰り返す。
【０１１８】
これにより、各ビットデータの重みと、各走査ラインの走査タイミングとが決定される。したがって、図２１に示す両駆動回路１３・１４が当該重みおよび走査タイミングで画素アレイ１２を駆動することによって、本発明の１実現方法としての第１の走査方法で駆動される表示装置１１が得られる。
【０１１９】
ここで、上記のように重みが設定されている場合、上述したように、表示装置１１が表示可能な階調数Ｂは、ＲＡ　よりも小さい（例えば、ＲＡ　が６４であるにも拘わらず、Ｂ＝４８階調など）。一方、外部から入力されるデータ（例えば、図２１に示す映像データＤ）は、２進数のことが多い。この場合は、データライン駆動回路１３内に、例えば、映像データＤをＢ階調表示に置き換えるためのＬＵＴ（Ｌｏｏｋ　Ｕｐ　Ｔａｂｌｅ　）が記録されたＲＯＭ（Ｒｅａｄ　Ｏｎｌｙ　Ｍｅｍｏｒｙ）を設け、当該ＬＵＴを参照するなどして、入力された映像データＤに基づいて、画素ＰＩＸ（ｉ，ｊ）　へ供給するビットデータの組み合わせを決定する。さらに、データライン駆動回路１３は、当該画素ＰＩＸ（ｉ，ｊ）　が選択される度に、ビットデータの組み合わせのうち、次に画素ＰＩＸ（ｉ，ｊ）　へ供給すべきビットデータを供給する。
【０１２０】
なお、上記では、ＬＵＴを設ける場合を例にして説明したが、例えば、演算などによって、ビットデータの組み合わせを決定してもよい。映像データＤと、当該映像データＤが入力されたときに、画素ＰＩＸ（ｉ，ｊ）　へ供給すべきビットデータの組み合わせとの対応関係を決定できればよい。
【０１２１】
このように、表示装置１１が、映像信号ＤＡＴに含まれる映像データＤに基づいて、画素ＰＩＸ（ｉ，ｊ）　へ供給すべきビットデータの組み合わせを決定する場合、映像信号ＤＡＴを供給する外部装置（例えば、映像信号源２１など）は、本実施形態に係る表示装置１１か否かに拘わらず、同一の映像信号ＤＡＴを供給すればよいので、表示装置１１の汎用性を向上できる。
【０１２２】
また、上述したように、本実施形態に係る表示装置１１では、各ビットデータの重みは、例えば、１：２：４：７のように、同じ表示階調レベルに対応するビットデータの組み合わせが複数存在するように設定されている。この場合は、同じ階調レベルに対応するビットデータの組み合わせが複数存在しているが、表示装置１１が表示可能なＢ個の階調レベルを、小さい順番に並べたとき、隣接する階調レベル同士の差は、選択期間単位で比較しても、互いに、同一の値になっている。例えば、上記の数値例の場合は、上述の特許文献１の構成、すなわち、１：２：４：８を実現しようとして、選択期間単位では、５：９：１７：２９の比率になってしまい、例えば、ある隣接する階調レベル５と９との間のレベル差は、４であるにも拘わらず、その次に隣接する階調レベル９と１４との間は、５になってしまう構成とは異なり、０〜１４までの１５個の階調レベルのうち、隣接する階調レベル同士の差は、常に、１選択期間分の階調レベルになる。
【０１２３】
このように、本実施形態に係る表示装置１１では、各階調レベルは、出力可能な階調レベルの順番に対して線形の特性を持つ。また、詳細は後述するように、ＲＡ　＝Ｂに設定する場合に比べて減少する階調数の比率は、ビット数が多くなる程、少なくなる。したがって、映像データＤに基づいてビットデータの組み合わせを決定する手段を比較的簡単な回路または演算で実現できる。
【０１２４】
また、上述したように、映像信号ＤＡＴは、例えば、画素ＰＩＸ（ｉ，ｊ）　毎にまとめた映像データＤを順次伝送するなどして送られている。したがって、本実施形態のように、時間分割階調表示しようとすると、各映像データが表示装置１１に供給されてから、それに対応するビットデータを画素ＰＩＸ（ｉ，ｊ）　へ供給するまでの間、映像データまたはビットデータを示すデータを保持することが必要になり、表示装置１１にフレームメモリを設ける必要がある。
【０１２５】
したがって、上記ＲＯＭなど、映像データＤに基づいてビットデータの組み合わせを決定する手段を設けたとしても、その回路規模は、上記フレームメモリと比較すると、十分小さく、表示装置１１の回路規模を余り増加させずに、上記表示装置１１を実現できる。
【０１２６】
このように、本実施形態の第１の重み決定方法では、上記各ビットデータを、重みの小さい指示データから順番に並べたときに、前の順番のＲ倍となるように、初期設定する工程と、上記順番で最初のビットデータの出力期間を開始する選択期間（占有時間）として、予め定められた選択期間を割り当てる工程とを含んでいる。また、本実施形態の第１の重み設定方法では、未だ、選択期間を割り当てていないビットデータが存在する間、以下の工程を繰り返す。すなわち、上記ビットデータの重みに応じて、当該ビットデータに対応する出力期間の長さを決定し、当該出力期間が終わったときの選択期間を、次のビットデータの出力期間が開始される選択期間として割り当てる割り当て工程と、上記割り当て工程にて割り当てた、次のビットデータの選択期間が、これまでに割り当てた選択期間と一致しているか否かを判定する判定工程と、一致している場合、上記割り当て工程にて出力期間の長さを決定したビットデータ、あるいは、それまでに出力期間の長さを決定したビットデータの重みを軽くして、次のビットデータに割り当てる選択期間、および、これまでにビットデータが割り当てられた選択期間が、相互に重ならないように調整する調整工程とを繰り返す。
【０１２７】
当該構成では、次のビットデータの選択期間が、これまでに割り当てた選択期間と一致している場合、上記割り当て工程にて出力期間の長さを決定したビットデータ、あるいは、それまでに出力期間の長さを決定したビットデータ（例えば、軽い順に長さを決定している場合は、次に重みを確定するビットデータよりも軽い重みのビットデータ）の重みを軽くして、次のビットデータに割り当てる選択期間、および、これまでにビットデータが割り当てられた選択期間が、相互に重ならないように調整される。
【０１２８】
したがって、走査ラインが、どのような値であっても、互いに異なる走査ラインに対応するビットデータがデータラインに送付されるタイミング（選択期間）が互いに重なり合わない程度に、１フレーム期間全体の階調の数Ｂが、ＲＡ　よりも小さく設定されると共に、当該階調を低いレベルから順に並べたときに、隣接する階調同士の差を固定値にすることができる。
【０１２９】
また、本実施形態の第２の重み決定方法では、上述のようにして第２ビットのデータの占有時間を設定した後、前記式４，５を満たすか否かを調べ、満たさないときにはその第２ビットの代わりに第３ビット以降を充て、そのビットを第２ビットのデータとして、上記式４，５が成り立つようにする。
【０１３０】
続いて、次に表示させる第３ビットのデータの占有時間をＰとし、その表示ビットの表示期間の長さｆ（３，Ｋ）を用い、前記式６〜８を満たすか否かを調べ、満たさないときにはその第３ビットのデータの代わりに第４ビット等の未だ使われていないビットを充て、そのビットを第３ビットのデータとして、再度上記式４〜８が成り立つようにする。なお、どうしても上記式４〜８を満たさない場合は第２ビット以降のビットの重みを変化させ（１つ小さくし）、上記式４〜８が成り立つようにする。
【０１３１】
以下、同様の操作を第Ａ−１ビットのデータまで行い、最後の第Ａビットのデータの表示期間の長さｆ（Ａ，Ｋ）を、前記式９で決定した後、得られたビットのデータの順番と重みとに従い、各ビットの重みと走査ラインＧ１の選択タイミングとを設定する。そして、第１ビットの長さをＫ＋Ｇ×Ａ（Ｇは０以上の整数）とすることで走査ラインＧｉの選択タイミングを設定し、走査ラインＧｉ＋１の選択タイミングを走査ラインＧｉの選択タイミングからＡ選択時間遅らせた（または進めた）タイミングとし、同様の処理を最後の走査ラインまで繰り返す。
【０１３２】
このように、本実施形態の第２の重み決定方法では、当該順番の指示データよりも軽い重みの指示データの重みを軽くする前に、次に選択期間を割り当てる指示データを、未だ選択期間が割り当てられていない指示データの中のいずれかに変更することによって、次の指示データに割り当てる選択期間、および、これまでに指示データが割り当てられた選択期間が、相互に重ならないように調整する。当該構成では、重みを軽くする前に、選択期間を割り当てる指示データの順番を変更して、各選択期間の重複の排除を試みるので、選択期間を割り当てる順番を固定する場合よりも、フレーム間出力の数を増やすことができる。
【０１３３】
また、上記第２の重み決定方法によっても、各ビットデータの重みと各走査ラインの走査タイミングとが決定される。したがって、図２１に示す両駆動回路１３・１４が当該重みおよび走査タイミングで画素アレイ１２を駆動することによって、本発明の１実現方法としての第１の走査方法（第Ａビットの重みを０としない走査方法）で駆動される表示装置１１が得られる。
【０１３４】
さらに、本実施形態では、上記のように、ＲＡ　＞Ｂの関係を持つように、各ビットデータの重みを設定して走査する方法の別の例（第２の走査方法）として、例えば、以下のように、各ビットデータの重みを設定している。すなわち、本実施形態の第２の走査方法は、上記最後の第Ａビットの重みを０とすることで、
走査ライン数×ビット数−（総てのビットの重みの総和）
をブランキング期間で埋める方法である。このことにより、走査ライン数を、
走査ライン数＝（総てのビットの重みの総和）／ビット数
とする必要がなくなるので、選択できる走査ライン数の自由度が飛躍的に高まる。特に、第１の走査方法において、上記の最後のＡビットの重みを０にする走査方法（第２の走査方法）では、上述の式（９）が成り立つ必要がなくなる。したがって、選択できる走査ライン数の自由度が飛躍的に向上する。
【０１３５】
〔実施例１〕
以下に、本実施形態の第１の走査方法（第Ａビットの重みを０としない走査方法）における占有時間の一例を、その重み決定方法（第１の重み決定方法）と共に詳述する。この例では、５個のビットデータを用いている。この場合、１単位時間は５選択時間であり、その最初の選択時間を占有時間０番とし、次の選択時間を占有時間１番とし、…、最後の選択時間を占有時間４番とする。また、最小ビットの表示期間の長さＫを、２＜Ａ＝５なる２としている。この条件で本発明の第１の方法を用いると、結果は図３のようになる。以下、この図３の条件が導かれるまでの課程を詳細に説明する。
【０１３６】
表示開始の第１ビットのデータの占有時間を０番とする。この最小ビットの表示期間ｆ（１，Ｋ）の長さは、上述のように２なので、第２ビットのデータの占有時間は２番となる。そこで、第２ビットの表示期間の長さｆ（２，Ｋ）＝２×（１＋１）＝４とし、第３ビットのデータの占有時間を前記式４，５を用いて調べると、
2004004501.tif 000003
となる。これは、前記０番や２番の占有時間とは異なるので、次のビットのデータに移る。
【０１３７】
第３ビットのデータの表示期間の長さｆ（３，Ｋ）＝２×（１＋１＋２）＝８とし、第４ビットのデータの占有時間を前記式６〜８を用いて調べると、
2004004501.tif 000004
となる。これも、前記０番，１番，２番の占有時間とは異なるので、次のビットのデータに移る。
【０１３８】
第４ビットのデータの表示期間の長さｆ（４，Ｋ）＝２×（１＋１＋２＋４）＝１６とし、第５ビットのデータの占有時間を前記式６〜８と同様に以下の式を用いて調べると、
2004004501.tif 000005
となる。この０番の占有時間は既に初期値の第１ビットのデータとして存在するので、表示期間を１階調分の２だけ減らして、ｆ（４，Ｋ）＝１４とする。そこで、この値を用いて前記式１３を再度調べると、
ＲＯＴ（Ａ，Σｆ（１〜４，Ｋ））＝ＲＯＴ（５，２８）＝３　　…（１４）
となる。この３番の占有時間は、前記調査には存在せず、これまで割り当てられていなかった占有時間なので、これで終了する。
【０１３９】
なお、以上５ビットのデータに割当てた占有時間で、結果として０〜４番迄総ての占有時間が使われていることが示される。このとき、最後の第５ビットのデータの表示期間が終われば、最初のビットが始まった占有時間０番に戻ることが好ましい。そこで、最後の第５ビットの表示期間の長さｆ（５，Ｋ）を前記式９を満たすように調整する。すなわち、
2004004501.tif 000006
となるように設定する。上式はｆ（５，Ｋ）＝２＋５×Ｇのときに成立するので、ｆ（５，Ｋ）＝２２とする。これで、最初の第１ビットに戻るための開始条件（占有時間が０番になること）が満たされ、条件出しが終わる。
【０１４０】
このようにして見出された条件を示したのが前記図３である。すなわち、各ビットのデータの表示期間の長さとして、２：４：８：１４：２２を得る。そして、前記５ビットの表示期間の合計は、２＋４＋８＋１４＋２２＝５０となる。これをビット数５で割ると走査ライン数として１０が求まるので、上述の条件は走査ライン数１０本に対応する。そこで、（１）にあるように前記５０の選択時間を時間軸として、走査ラインＧ１〜Ｇ１０の選択タイミングを表現すると、図４のようになる。また、（２）にあるようにビット数の５個分の選択時間が１単位時間となり、（３）にあるように占有時間は、上述のとおり０〜４番となる。
【０１４１】
走査ラインＧ１の選択タイミングは、（４）にあるように、第１選択時間（第１単位時間の占有時間０）では、データラインに送信された第１ビットのデータ（重み＝１、表示期間＝２選択時間）を表示し、その２選択時間後の第３選択時間（第１単位時間の占有時間２番）からは、データラインに送信された第２ビットのデータ（重み＝２、表示期間＝４選択時間）を表示し、その４選択時間後の第７選択時間（第２単位時間の占有時間１番）からは、データラインに送信された第３ビットのデータ（重み＝４、表示期間＝８選択時間）を表示し、その８選択時間後の第１５選択時間（第３単位時間の占有時間４番）からは、データラインに送信された第４ビットのデータ（重み＝７、表示期間＝１４選択時間）を表示し、その１４選択時間後の第２９選択時間（第６単位時間の占有時間３番）からは、データラインに送信された第５ビットのデータ（重み＝１１、表示期間＝２２選択時間）を表示する。そして、前記２２選択時間後の第５１選択時間（次のフレームの第１単位時間の占有時間０番）で、再度第１ビットのデータを表示し、１フレーム期間を完成する。
【０１４２】
残余の（５）〜（１３）で示す走査ラインＧ２〜Ｇ１０の選択タイミングは、各々１ライン前の走査ラインの選択タイミングを１単位時間遅らせて作成される。
【０１４３】
なお、前記条件では第１ビットの重みを２とし、２：４：８：１４：２２としたが、この重みにビット数である５を加えても結果は同じになるので、７：１４：２８：４９：７７としてもよい。また、図示しないが、前記条件は５ビットの重みが１：２：４：７：１１でも成立する（この場合、占有期間は順に０番，１番，３番，２番，４番となる）。また、３：６：１２：２４：３３でも成立する（この場合、占有期間は順に０番，３番，４番，１番，２番となる）。それぞれの場合に、第１ビットの重みに５を加えることができるので、対応できる走査ライン数は多様に存在する。
【０１４４】
また、図２２に、上記本実施形態の第１の重み決定方法により決められた占有時間であって、しかも、第１の走査方法で駆動するための占有時間の別の例を示す。図２２の例では、電気光学素子は、４階調表示可能（Ｒ＝４）であり、２個のビットデータ（Ａ＝２）を１フレーム期間毎に供給している。この場合、１単位時間は、２選択時間であり、最初の占有時間を０番とし、次の占有時間を１番としている。
【０１４５】
この場合も表示開始の第１ビットのデータ占有時間を０番とする。最小ビットの表示期間ｆ（１，Ｋ）を３とすると、第２のビットのデータ占有時間は１番となる。そこで、
ＲＯＴ（Ａ，Σｆ（１〜２，Ｋ））＝ＲＯＴ（２，３＋ｆ（２，Ｋ））＝０とするために、ｆ（２，Ｋ）＝９とする。この図２２の条件では、Σｆ（１〜２，Ｋ）＝１２なので、走査ライン数は１２／２＝６となり、図２３のタイミングチャートとなる。
【０１４６】
この場合であっても、ＲＡ　＞Ｂに設定されているので、Ｂ＝ＲＡ　になるように各指示データの重みを設定する場合と比較して、各階調のレベルのそれぞれを所望の値に設定可能な走査ライン数の種類を増やすことができ、各レベルのそれぞれを所望の値に設定可能な画素アレイ１２の範囲を拡大できる。また、さらに他の例として、図１０に、Ｒ＝２、Ａ＝８とした場合のビット重みの条件を示す。
【０１４７】
このように本実施形態の第１の重み決定方法を適用し、例えば、５ビットの重みを順番に、１：２：４：７：１１とするなどして、本実施形態の第１の走査方法で駆動することによって、初期化用ＴＦＴを用いない構成でも、正確な階調表示（例えば、２６階調）を行うことができる時間分割階調表示を実現することができる。
【０１４８】
〔実施例２〕
以下では、本実施形態の第２の走査方法（第Ａビットの重みを０とする走査方法）における占有時間の一例を、その重み決定方法（第１の重み決定方法）と共に詳述する。
【０１４９】
この例では、電気光学素子は、４階調表示可能（Ｒ＝４）であり、３個のビットデータ（Ａ＝２）を用いている。この場合、１単位時間は３選択時間であり、最初の占有時間を０番とし、次の占有時間を１番とし、その次の占有時間を２としている。
【０１５０】
この場合も、表示開始の第１ビットのデータ占有時間を０番とする。最小ビットの表示期間ｆ（１，Ｋ）を４とすると、第２のビットのデータ占有時間は１番となる。そこで、第２ビットの表示期間ｆ（２，Ｋ）を４×４＝１６として、
ＲＯＴ（Ａ，Σｆ（１〜２，Ｋ））＝ＲＯＴ（３，４＋１６）＝２
となる。これは前記占有時間０番，１番とは異なるので、占有時間は、これで決まる。なお、第３ビットは、重み０なので、その表示期間の長さは気にする必要はない。その結果、図２４の占有時間とビットの重みを得る。
【０１５１】
そこで、図２５のように走査ライン数が１０本であれば、
2004004501.tif 000007
となり、この期間を、ビットの重み０のブランキング期間とした走査タイミングが出来上がる。
【０１５２】
続いて、本実施形態の第２の走査方法における占有時間の一例を、その重み決定方法（第１の重み決定方法）と共に詳述する。この例では、５個のビットデータを用いて、４ビットのデータで表示を行い、１ビットを初期化ビットとして用いる。この例では、表示期間０の初期化ビットを含めて５ビット構成となるので、ビット数Ａ＝５であり、１単位時間は５選択時間となる。そして、その最初の選択時間を占有時間０番とし、次の選択時間を占有時間１番とし、…、最後の選択時間を占有時間４番とする。さらに、最小ビットの表示期間の長さＫを、３＜Ａ＝５なる３とする。この条件で、本実施形態の第１の重み決定方法を用いると、結果は図５のようになる。以下、この図５の条件が導かれるまでの課程を詳細に説明する。
【０１５３】
表示開始の第１ビットのデータの占有時間を０番とする。この最小ビットの表示期間ｆ（１，Ｋ）の長さは３なので、第２ビットのデータの占有時間は３番となる。そこで、第２ビットのデータの表示期間の長さｆ（２，Ｋ）＝３×（１＋１）＝６とし、第３ビットのデータの占有時間を式４，５を用いて調べると、
2004004501.tif 000008
となる。これは、前記０番や３番の占有時間とは異なるので、次のビットのデータに移る。
【０１５４】
第３ビットのデータの表示期間の長さｆ（３，Ｋ）＝３×（１＋１＋２）＝１２とし、第４ビットのデータの占有時間を式６〜８を用いて調べると、
2004004501.tif 000009
となる。これも、前記０番，３番，４番の占有時間とは異なるので、次のビットのデータに移る。
【０１５５】
第４ビットの表示期間の長さｆ（４，Ｋ）＝３×（１＋１＋２＋４）＝２４とし、第５ビットのデータの占有時間を前記式１３を用いて調べると、
2004004501.tif 000010
となる。この０番の占有時間は既に初期値の第１ビットのデータに存在するので、表示期間を１階調分の３だけ減らして、ｆ（４，Ｋ）＝２１とする。そこで、この値を用いて前記式１３を再度調べると、
ＲＯＴ（Ａ，Σｆ（１〜４，Ｋ））＝ＲＯＴ（５，４２）＝２　　…（１９）
となる。これは、前記調査には存在しないので、これで終了する。
【０１５６】
なお、以上５ビットのデータに割当てた占有時間で、結果として０〜４番迄総ての占有時間が使われていることが示される。一方、最後の第５ビットのデータは初期化ビットなので、その表示期間の終わる時間は気にしなくてよい。但し、前記第１〜第４ビットのデータの表示期間の総和：３＋６＋１２＋２１＝４２が、ビット数５×走査ライン数より小さい必要があるので、走査ライン数は９本以上となる。これで、条件出しが終わり、図５の条件が見出される。すなわち、各ビットの表示期間の長さとして、３：６：１２：２１：０を得る。この場合、（３＋６＋１２＋２１）／５＝８．４となり、８．４＜９であるので、走査ライン数は、９本以上あればよいことになる。そこで、走査ライン数を１０本として、この図５の条件を基に走査ラインＧ１〜Ｇ１０の選択タイミングを作成したのが図６である。
【０１５７】
すなわち、（１）にあるよう１フレーム期間はビット数５×走査ライン数１０＝５０選択時間となる。その選択時間を時間軸として、この図６は表現されている。また、（２）にあるようにビット数の５個分の選択時間を１単位時間とし、（３）にあるように占有時間は０〜４番となる。
【０１５８】
走査ラインＧ１の選択タイミングは（４）にあるように、第１選択時間（第１単位時間の占有時間０番）では第１ビットのデータ（重み＝１、表示期間＝３選択時間）を表示し、その３選択時間後の第４選択時間（第１単位時間の占有時間３番）では第２ビットのデータ（重み＝２、表示期間＝６選択時間）を表示し、その６選択時間後の第１０選択時間（第２単位時間の占有時間４番）では第３ビットのデータ（重み＝４、表示期間＝１２選択時間）を表示し、その１２選択時間後の第２２選択時間（第５単位時間の占有時間１番）では第４ビットのデータ（重み＝７、表示期間＝２１選択時間）を表示し、その２１選択時間後の第４３選択時間（第９単位時間の占有時間２番）では初期化ビット（重み＝０、表示期間＝任意）を表示する。これで、１フレーム期間が完成される。
【０１５９】
残余の（５）〜（１３）の走査ラインＧ２〜Ｇ１０は、各々１ライン前の走査ラインの選択タイミングを１単位時間遅らせて作成される。このように、本実施形態の第１の重み決定方法を用い、第２の走査方法における重みを決定している。これにより、例えば、５ビットの重みを順番に、１：２：４：７：０とすることで、初期化用ＴＦＴを用いない構成でも、正確な階調表示（例えば１５階調表示）を行うことができる時間分割階調表示を実現することができる。また、第１ビットの表示期間を、１選択期間とすると、走査ライン数は前記１０本でなくても、３本以上であればよいことになる。
【０１６０】
このように、本実施形態の第１の重み決定方法によって、第２の走査方法の重みを決定すると、第１の重み決定方法で第１の走査方法の重みを決定した場合の制約、すなわち、Ｒ階調表示可能な電気光学素子を用いＡ個のビットデータの重みの比率をＧ：Ｇ×Ｒ−ｎＧは１以上の整数、ｎは１以上Ｇ×（Ｒ−１）以下の整数）とすることで、相互に占有時間の重ならないビット重み比率を導き、さらに、前記式９の「最後のビットのデータの終了期間が最初のビットのデータの開始時間である占有時間０へ戻る」ように設定するという制約が、最後の初期化ビットの表示期間が任意であるためになくなり、走査ライン数が自由に選べて好ましい。
【０１６１】
ここで、走査ライン数２４０本で６ビット階調表示を行う場合（初期化ビットを含めてビット数Ａ＝７）に求めた条件を、図７に示す。各ビットの重みは、１：２：３：６：１３：２６：０となっている。この重み比率の条件は、最小ビットの表示期間の長さが７（１単位時間当りの選択時間数）の倍数でない限り成り立つ。
【０１６２】
また、走査ライン数４８０本で８ビット階調表示を行う場合（初期化ビットを含めてビットの数Ａ＝９）に求めた条件を、図８に示す。各ビットの重みは、１：２：４：８：１６：３１：６０：１２３：０となっている。この重み比率の条件は、最小ビットの表示期間の長さが３の倍数でない限り成り立つ。
【０１６３】
〔実施例３〕
以下に、本実施形態の第１の走査方法における重み決定方法として、前記第２の重み決定方法を用いた例について詳述する。この例では、６個のビットデータを用いている。この場合、１単位時間は６選択時間であり、その最初の選択時間を占有時間０とし、次の選択時間を占有時間１とし、…、最後の選択時間を占有時間５とする。また、最小ビットの表示期間の長さＫを、１＜Ａ＝６なる１としている。この条件で本発明の第２の重み決定方法を用いると、結果は図９のようになる。以下、この図９の条件が導かれるまでの課程を詳細に説明する。
【０１６４】
表示開始の第１ビットのデータの占有時間を０番とする。このデータとして最小ビットを充てる。その表示期間ｆ（１，Ｋ）の長さは１なので、第２ビットのデータの占有時間は１番となる。そこで、第２ビットのデータに第２ビットを充てる。その表示期間の長さｆ（２，Ｋ）＝１×（１＋１）＝２なので、第３ビットのデータの占有時間を式４，５を用いて調べると、
2004004501.tif 000011
となる。これは、前記０番や１番の占有時間とは異なるので、次のビットのデータに移る。
【０１６５】
続いて、第３ビットのデータに第３ビットを充て、その表示期間の長さｆ（３，Ｋ）＝１×（１＋１＋２）＝４なので、第４ビットのデータの占有時間を式６〜８を用いて調べると、
2004004501.tif 000012
となる。この占有時間１番は既に占有されているので、第３ビットの代わりに第４ビットを用い、その表示期間の長さｆ（３，Ｋ）＝１×（１＋１＋２＋４）＝８とし、第４ビットのデータの占有時間を式６〜８を用いて再度調べる。この結果は、
2004004501.tif 000013
となる。これは、前記０番，１番，３番の占有時間とは異なるので、次のビットのデータに移る。
【０１６６】
そして、第４ビットのデータとして先に使えなかった第３ビットを用い、その表示期間の長さｆ（４，Ｋ）＝１×（１＋１＋２）＝４とし、第５ビットのデータの占有時間を式６〜８と同様に下式を用いて調べると、
2004004501.tif 000014
となる。この３番の占有時間は、既に前記調査で存在するので、第３ビットの代わりに第５ビットを用い、表示期間の長さｆ（４，Ｋ）＝１×（１＋１＋２＋４＋８）＝１６を用いるのであるが、この場合も前記式２３と同様に、３番となる。また、さらに重いビットを用いて表示期間の長さｆ（４，Ｋ）＝１×（１＋１＋２＋４＋８＋１６）＝３２を用いても、結果は１番となり、これも既に占有されている。
【０１６７】
ここで始めて、何れかのビットの長さを減らさなければならないことになり、第４ビットのデータを１つ減らし、第３ビットのデータの表示期間の長さｆ（３，Ｋ）＝１×（１＋１＋２＋４−１）＝７とし、第４ビットのデータの占有時間を式６〜８を用いて再度調べる。この結果は、
2004004501.tif 000015
となる。これは、第１〜第３ビットのデータの占有時間０番，１番，３番と異なるので、次のビットのデータに移る。
【０１６８】
そして、第４ビットのデータとして第３ビットを用い、その表示期間の長さｆ（４，Ｋ）＝１×（１＋１＋２）＝４とし、第５ビットのデータの占有時間を式６〜８と同様に下式を用いて調べると、
2004004501.tif 000016
となる。これは、第１〜第４ビットのデータの占有時間０番，１番，３番，４番とは異なるので、次のビットのデータに移る。
【０１６９】
第５ビットのデータとして第５ビットを用い、その表示期間の長さｆ（５，Ｋ）＝１×（１＋１＋２＋４＋７）＝１５とし、第６ビットのデータの占有時間を式２３と同様に以下の式を用いて調べると、
2004004501.tif 000017
となる。これは、第１〜第５ビットのデータの占有時間０〜４番とは異なるので、これで終了する。以上のように、６ビットのデータの占有時間が結果として０〜５番迄総ての占有時間を使用していることが示される。
【０１７０】
このとき、最後の第６ビットのデータの表示期間が終われば、最初のビットが始まった占有時間０番に戻ることが好ましい。そこで最後の第６ビットのデータとして第６ビットを充て、その表示期間の長さｆ（６，Ｋ）は、
ＲＯＴ（Ａ，Σｆ（１〜６，Ｋ））＝０　　　　　　　　　　　　…（２７）
を満たすよう、ｆ（６，Ｋ）＝１＋６×Ｇ＝２５とする。これで、最初の第１ビットに戻る為の開始条件（０番になること）が満たされ、条件出しが終わる。
【０１７１】
このようにして見出された条件を示したのが前記図９である。すなわち、各ビットの表示期間の長さとして、１：２：４：７：１５：２５を得る。
【０１７２】
なお、前記条件は、６ビットの重み比率が１：２：４：７：１５：２５＝５４となっているので、走査ライン数はこの選択時間数５４をビット数６で割った９本でもよいし、この第１ビットの重みにビット数である６を加えて、ビットの重みとして７：１４：２８：４９：１０５：１７５を用い、走査ライン数はこの選択時間２７０をビット数６で割った４５本でもよい。
【０１７３】
このように本実施形態の第２の重み決定方法を適用して、第１の走査方法における重みを決定することで、初期化用ＴＦＴを用いない構成でも、正確な階調表示（例えば５５階調表示）ができる時間分割階調表示を実現できる。なお、前述の実施例１，２で示すように、このような図９の条件から走査ラインＧ１〜Ｇ９の選択タイミングを作成する方法は理解できると思われるので、ここではその選択タイミングの表示は省略する。
【０１７４】
〔実施例４〕
以下に、前記第２の重み決定方法によって、第２の走査方法の占有時間を決定した場合の例について詳述する。この例では、７個のビットデータを用いて、６ビットのデータで表示を行い、１ビットを初期化ビットとして用いる。このように、より好ましい例では、表示期間０の初期化ビットを含めて７ビット構成となるので、ビット数Ａ＝７であり、１単位時間は７選択時間となる。そして、その最初の選択時間を占有時間０番とし、次の選択時間を占有時間１番とし、…、最後の選択時間を占有時間６番とする。さらに、最小ビットの表示期間の長さＫを、簡単化のために、１＜Ａ＝７なる１とする。この条件で本発明の第２の決定方法を用いると、結果は図１１のようになる。以下、この図１１の条件が導かれるまでの課程を詳細に説明する。
【０１７５】
表示開始の第１のデータの占有時間を０番として、このデータとして最小ビットを充てる。その表示期間ｆ（１，Ｋ）の長さは１なので、第２のデータの占有時間は１番となる。そこで、第２のデータとして第２ビットを充て、その表示期間の長さｆ（２，Ｋ）＝１×（１＋１）＝２とし、第３のデータの占有時間を式４，５を用いて調べると、
ＲＯＴ（Ａ，ｆ（１，Ｋ）＋ｆ（２，Ｋ））＝ＲＯＴ（７，１＋２）
＝ＲＯＴ（７，３）＝３…（２８）となる。これは、前記０番や１番の占有時間とは異なるので、次のデータに移る。
【０１７６】
続いて、前記第３のデータとして第３ビットを充て、その表示期間の長さｆ（３，Ｋ）＝１×（１＋１＋２）＝４とし、第４のデータの占有時間を式６〜８を用いて調べると、
2004004501.tif 000018
となる。この占有時間０番は既に占有されているので、第３ビットの代わりに第４ビットを用い、その表示期間の長さｆ（３，Ｋ）＝１×（１＋１＋２＋４）＝８とし、第４のデータの占有時間を式６〜８を用いて再度調べる。この結果は、
2004004501.tif 000019
となる。これは、前記０番，１番，３番の占有時間とは異なるので、次のデータに移る。
【０１７７】
そして、第４のデータとして先に使えなかった第３ビットを充て、その表示期間の長さｆ（４，Ｋ）＝１×（１＋１＋２）＝４とし、第５のデータの占有時間を式６〜８と同様に下式を用いて調べると、
2004004501.tif 000020
となる。この１番の占有時間は既に前記調査で存在するので、第４のビットとして次の重みのデータを用い、表示期間の長さｆ（４，Ｋ）＝１×（１＋１＋２＋４＋８）＝１６とし、第５のビットの占有時間を再度調べる。この結果は、
2004004501.tif 000021
となる。これは、前記０番，１番，３番の占有時間とは異なるので、次のデータに移る。
【０１７８】
第５のデータとして先に使えなかった第３ビットを充て、その表示期間の長さｆ（５，Ｋ）＝１×（１＋１＋２）＝４とし、第６のデータの占有時間を同様に以下のように調べると、
2004004501.tif 000022
となる。この３番の占有時間は既に前記調査で存在する。以下経緯は省略するが、先の第４のデータの表示期間の長さをｆ（４，Ｋ）＝１５とすることで、第５のデータの占有時間を、
2004004501.tif 000023
とし、第６のデータの占有時間を、
2004004501.tif 000024
とできる。
【０１７９】
そして、第６のデータの表示期間の長さｆ（６，Ｋ）＝１×（１＋１＋２＋８＋１５＋４）＝３１となるが、第７のデータ（初期化ビット）の占有時間は、前記各ビットに占有されていない占有時間が６番だけなので、
2004004501.tif 000025
となる必要がある。そこで、ｆ（６，Ｋ）＝２５とする。この最後の第７のデータは初期化ビットなので、その表示期間の終わる時間は気にしなくてよい。但し、走査ライン数は、前記第１〜第６のビットの表示期間の総和：１＋２＋８＋１５＋４＋２５＝５５をビット数７で割った７．８より大きい必要があるので、走査ライン数は８本以上となる。
【０１８０】
これで条件出しが終わり、図１１の条件が見出される。すなわち、各ビットの表示期間の長さとして、１：２：４：８：１５：２５：０を得、５６階調表示を得る。このように、表示するビットの重みの順番を変えることで、先の第１の決定方法の場合に求めた図７の条件１：２：３：６：１３：２６：０の５１階調より、階調表示能力が大きくなるのでより好ましいと言える。また、第２の重み決定方法を用いて、第２の走査方法における重みを決定した場合の他の例として、Ｒ＝４，Ａ＝４とした場合のビット重みの条件を図２６に、その走査タイミングを図２７に示す。
【０１８１】
〔実施例５〕
以下に、前記第１および第２の重み決定方法（占有時間の決定方法）のより好ましい他の例について詳述する。この例では、７個のビットデータを用いて、６データで表示を行い、１ビットを初期化ビットとして用いる。このため、表示期間０の初期化ビットを含めて７ビット構成となるので、ビット数Ａ＝７であり、１単位時間は７選択時間となる。そして、その最初の選択時間を占有時間０番とし、次の選択時間を占有時間１番とし、…、最後の選択時間を占有時間６番とする。さらに、最小ビットの表示期間の長さＫを、１＜Ａ＝７なる１とする。この条件で、上記の、より好ましい決定方法を用いると、結果は図１２のようになる。以下、この図１２の条件が導かれるまでの課程を詳細に説明する。
【０１８２】
すなわち、本実施例の決定方法（第３の重み決定方法）は、第１または第２の重み決定方法と略同一であるが、データラインに連続した供給されるＡ個のビットデータのうち、重みの近い２つのビットデータを、同一フレーム期間の離れた位置に配置する点で異なっている。
【０１８３】
一例として、最も重みの大きい２つのビットデータを同一フレーム期間の最初と最後とに配置する場合を例にして説明する。すなわち、上記の数値例では、最も重みの大きな２つのビットデータが第５および第６ビットになるので、表示開始の第１のデータとして第５ビットを充て、その占有時間を０番とする。最小ビットの表示期間の長さを１とすると、この第１のデータの表示期間の長さｆ（１，Ｋ）＝１６は、
ＲＯＴ（７，ｆ（１，Ｋ））＝ＲＯＴ（７，Ｋ）＝２　　　　　　…（３７）
となり、第２のデータの占有時間は２番となる。
【０１８４】
ここで、最小ビット〜第３ビットまでの表示期間の合計の長さが１＋２＋４＝７であり、第２ビット〜第４ビットまでの長さが２＋４＋８＝１４であり、共にビット数７の倍数であることを考慮し、幾つかの組合せを検討した結果、第２のデータを第２ビットとする。
【０１８５】
この第２のデータの表示期間の長さｆ（２，Ｋ）＝１×（１＋１）＝２とし、第３のデータの占有時間を式４，５を用いて調べると、
2004004501.tif 000026
となる。これは、前記０番や２番の占有時間とは異なるので、次のデータに移る。以下では、ビットの選択に当る細かい検討過程を省略して記載する。
【０１８６】
第３のデータとして第４ビットを充て、その表示期間の長さｆ（３，Ｋ）＝１×（１＋１＋２＋４）＝８とし、第４のデータの占有時間を式６〜８を用いて調べると、
2004004501.tif 000027
となる。これは、前記０番，２番，４番の占有時間とは異なるので、次のデータに移る。
【０１８７】
第４のデータとして第１ビットを充て、その表示期間の長さｆ（４，Ｋ）＝１とし、第５のデータの占有時間を式６〜８と同様に以下の式を用いて調べると、
2004004501.tif 000028
となる。これは、前記０番，２番，４番，５番の占有時間とは異なるので、次のデータに移る。
【０１８８】
第５のデータとして第３ビットを充て、その表示期間の長さｆ（５，Ｋ）＝１×（１＋１＋２）＝４とし、第６のデータの占有時間を下式を用いて調べると、
2004004501.tif 000029
となる。これは、前記０番，２番，４番，５番の占有時間とは異なるので、次のデータに移る。
【０１８９】
第６のデータとして第６ビットを充て、その表示期間の長さｆ（６，Ｋ）＝１×（１＋１＋２＋４＋８＋１６）＝３２であるが、第７のデータの占有時間として残されているのは１番だけであるので、
2004004501.tif 000030
となる必要がある。そこで、ｆ（６，Ｋ）＝２６とする。
【０１９０】
この最後の第７のデータは初期化ビットなので、その表示期間の終わる時間は気にしなくてよい。但し、走査ライン数は、前記第１〜第６ビットの表示期間の総和：１６＋２＋８＋１＋４＋２６＝５７をビット数７で割った８．１より大きい必要があるので、走査ライン数は９本以上となる。
【０１９１】
また、前記条件で第１ビットの重みを２とすると、ビットの重みは、３２：４：１６：２：８：５２：０となる（この場合、占有期間は順に０番，４番，１番，３番，５番，６番，２番となる）。この場合、表示期間の総和は、３２＋４＋１６＋２＋８＋５２＝１１４をビット数７で割った１６．２以上となる。また、前記条件で第１ビットの重みを３とすると、ビットの重みは、４：８：６：２４：３：１２：７８：０となる（この場合、占有期間は順に０番，６番，５番，１番，４番，２番，３番となる）。前記条件で第１ビットの重みを４とすると、ビットの重みは、６４：８：３２：４：１６：１０４：０となる（この場合、占有期間は順に０番，１番，２番，６番，３番，５番，４番となる）。前記条件で第１ビットの重みを５とすると、ビットの重みは、８０：１０：４０：５：２０：１５０：０となる（この場合、占有期間は順に０番，３番，６番，４番，２番，１番，５番となる）。前記条件で第１ビットの重みを６とすると、ビットの重みは、９１：１２：４８：６：２４：１５６：０となる（この場合、占有期間は順に０番，５番，３番，２番，１番，４番，６番となる）。このように上記総ての場合で最小ビットの重みに７を加えることができるので、対応できる走査ライン数は多様に存在できる。
【０１９２】
このように、最も重みの大きい２つのビットデータを、１フレーム期間の始めと終わりに配置し、それらの重みを調整することもできる。これにより、より柔軟な選択タイミングを得ることができる。この結果、１つの制御グループの走査ライン数をある程度自由に設定できるようになり、表示パネルの走査ライン数に一致した時間分割階調表示を行うことができる。
【０１９３】
また、発生する動画偽輪郭の大きさは最大ビットの大きさに比例する。したがって、図１２のように、最も重みの大きなビットデータの重みを、次に重みの大きなビットデータの重みの１．５倍程度以内とすることによって、最大階調レベルの大きさを小さくすると共に、動画像を視線が追うことで発生する動画偽輪郭を抑えることができる。
【０１９４】
また、上記の重み決定方法で決定された第２の走査方法の重みでは、中間調レベルを表示するビットパターンが複数個、存在することができる。例えば、ビット重みの比率が２：１６：８：１：４：２６の場合に、階調レベル２６〜３１迄に現れる２つのビットパターンについて表したのが表１である。
【０１９５】
【表１】
2004004501.tif 000031
【０１９６】
この表１では、第６ビットを点灯させ始める階調レベルを２６〜３２迄の範囲で選ぶことができる。動画偽輸郭はこの第６ビットが点灯する階調パターンで最大となるので、その階調遷移レベルを複数持たせ、同一フレーム期間において、相互に隣接する電気光学素子が同一階調を表示する場合には、点灯するビットデータパターンが相互に異なるようにすることで、動画偽輸郭を抑えることができる。
【０１９７】
図１３に、階調レベル２８の背景の中を階調レベル２９の映像が横切る場合のビットデータを示す。この例では、階調遷移パターンが１つしかなく、階調レベル２８から２９にかけて、表１の階調遷移パターンＡからＢへ置き換わる例である。図１３では横軸が時間であり、縦軸が映像の移動方向である。この場合、映像を視線が矢印（ａ）〜（ｆ）のように追うことで、（ｂ）や（ｅ）に示すような本来画面には見えないはずの階調が感じられる。これが動画偽輪郭である。
【０１９８】
そこで、前記表１の階調遷移パターンＡからＢへ切り替わる階調レベルを映像等によって切り替えることで、この図１３のような動画偽輪郭の発生を抑えることができる。
【０１９９】
また、図１３では、移動方向の一方側（（ｂ）側）で明輝度方向の階調エラーが発生し、他方側（（ｅ）側）で暗輝度方向の階調エラーが発生する。そこで図１４のように階調レベル２８や２９として表１の２つの階調パターンを交互に使用することで、移動方向の一方のみが明るくなったり暗くなったりする現象を抑えることができる。
【０２００】
なお、上記では、相互に隣接する電気光学素子が同一階調を表示する場合には、点灯するビットデータパターンが相互に異なるように駆動する場合を例にして説明したが、これに限るものではない。同一フレーム期間において、同一階調を表示する場合に、点灯するビットデータが相互に異なる複数の階調パターンを用いれば、移動方向の一方のみが明るくなったり暗くなったりする現象を抑えることができるので、ある程度の効果が得られる。
【０２０１】
ただし、上記のように、相互に隣接する電気光学素子が同一階調を表示する場合には、点灯するビットデータパターンが相互に異なるように駆動する場合は、２画素単位で見ると、明暗輝度が相殺されて、動画偽輪郭がさらに抑えられる。人間の目は動画像に対する解像度が低いので、このような方法で動画偽輪郭を抑えるのも有効である。
【０２０２】
なお、図１４のように画素毎に用いる階調遷移パターンを固定したり、フレーム毎に周期的で規則的に切り替えたりすると、動画像を目で追うとき、その階調遷移パターンを固定した模様が目に付くことになる。したがって、このような遷移パターンの切り替えはランダムに行った方が好ましい。
【０２０３】
また、動画偽輪郭を抑えるための他の方法として、ビット重み０の表示期間を伸ばすことも有効である。
【０２０４】
より詳細に説明すると、上述した図１３では重み０のビット表示期間の１フレーム期間に占める比率がほぼ０として考えたが、本実施形態の第２の走査方法では、上述したように、重み０のビットの表示期間の比率をある程度自由に設定できるので、重み０のビットの表示期間の比率を伸ばすことができる。例えば、図２８では、重み０のビットの表示期間の比率を１フレーム期間の１／３程度に設定して、図１３と同様に動画偽輪郭の発生量を検討している。
【０２０５】
図２８と図１３とを比較すれば判るように、発生する動画偽輪郭の大きさは図１３で５２−２９＝２３、図２８で４１−２９＝１２となる。
【０２０６】
なお、重み０のビットの表示期間の比率を伸ばす場合、図１２のように重みの大きなビットの表示期間が分離しているより、図９のように隣接している方が好ましい。ここで、図９の場合の２つの繰り上がりパターンを表２に示す。なお、表１の場合と同様に、２つの繰り上がりパターンが隣接した画素で発生する必要はなく、ランダムに発生して良い。
【０２０７】
【表２】
2004004501.tif 000032
【０２０８】
このように、動画偽輪郭対策としては、重み０のビットの表示期間の比率を伸ばすこと、発光期間の比率を小さくすることが有効である。特に、前記重み０のデータの表示期間が、１フレーム期間の１／４以上を占めるように設定されていると、時間分割表示した動画像を視線が追うことで発生する各ビットデータの発光期間の被りを小さくでき、動画偽輪郭の発生を抑制できる。
【０２０９】
なお、本実施形態の第２の走査方法では、上述したように、駆動可能な画素アレイ１２の種類を余り制限することなく、重み０のビットの表示期間の比率をある程度自由に設定できる。したがって、第２の走査方法において、重み０のビットの表示期間の比率を伸ばすことによって、駆動可能な画素アレイ１２の種類を余り制限することなく、動画偽輪郭の発生を抑制できる。
【０２１０】
また、有機ＥＬの劣化特性は、発光期間を１／２程度にする代わりに発光輝度を２倍程度にしても、単位面積当たりの平均輝度が変わらなければ、それほど変わらない。したがって、有機ＥＬを時分割階調表示するときには、上記第２の走査方法を採用し、重み０のビットの表示期間の比率をフレーム期間の１／４〜３／４程度に設定することによって、駆動可能な画素アレイ１２の種類を余り制限することなく、しかも、有機ＥＬの劣化特性を、重み０のビットを設けないときと同程度に維持したまま、動画偽輪郭の発生を抑制できる。なお、第２の走査方法では、上述したように、重み０のビットの表示期間の比率をある程度自由に設定できるので、重み０のビットの表示期間の比率をフレーム期間の１／４〜３／４程度に設定しても、何ら支障なく、画素アレイ１２を駆動できる。
【０２１１】
なお、図１５は、上述した第３の重み決定方法（重みの近い２つのビットデータを、同一フレーム期間の離れた位置に配置する方法）を用いて、第２の走査方法における重みを決定した場合の例を示しており、より詳細には、８ビット階調表示を行う場合（初期化ビットを含めてビットの数Ａ＝９）に求めた条件を示している。
【０２１２】
また、図２９は、本実施形態の第２の重み決定方法によって、第２の走査方法の重みを決定し、しかも、ビット重み０の期間を１フレーム期間の１／２程度に設定した場合の例を示しており、より詳細には、８ビット階調表示を行う場合（初期化ビットを含めてビットの数Ａ＝９）に求めた条件を示している。
【０２１３】
ここで、例えば、本実施形態の第１〜第２の重み決定方法で重みを決定するなどして、本実施形態の第１〜第２の走査方法を採用すると、ＲＡ　＝Ｂに設定する場合に比べて、階調数Ｂが減少するが、減少する階調数の比率は、ビット数が多くなる程、少なくできる。例えば、図２９の例では、表示できる階調数は２５０階調あり、８ビットで表示できる階調数２５６の９７．７％をカバーできている。
【０２１４】
ここで、上記本実施形態の第１〜第２の走査方法でデータライン駆動回路１３および走査ライン駆動回路１４を制御する制御回路１６の構成例について簡単に説明する。すなわち、図２３のタイミングで駆動する場合を例にして、走査ラインＧ１に対応する２つのビットデータを、重みの小さいものから順に、ｇ１（１）、ｇ１（２）と表記して説明すると、あるデータラインには、以下の順、ｇ１（１）、ｇ６（２）、ｇ２（１）、ｇ１（２）、ｇ３（１）、ｇ２（２）、ｇ４（１）、ｇ３（２）、ｇ５（１）、ｇ４（２）、ｇ６（１）、ｇ５（２）で、各ビットデータが順番に出力されている。
【０２１５】
一方、各走査ラインに対応する映像データＤをＤ（１）〜Ｄ（６）とすると、図２１に示す制御回路１６には、映像信号ＤＡＴとして、Ｄ（１）〜Ｄ（６）の順番で、各映像データＤが与えられている。
【０２１６】
一方、図３０に示すように、制御回路１６は、映像信号ＤＡＴを構成する映像データＤが入力されるＬＵＴ（Ｌｏｏｋ　Ｕｐ　Ｔａｂｌｅ　）３１と、１フレーム分のビットデータを記憶するフレームメモリ３２と、当該フレームメモリ３２から読み出しやすいように、ＬＵＴ３１の出力を各ビットデータ毎にまとめるビット組み替え回路３３と、上記フレームメモリ３２の出力をバッファリングしてデータライン駆動回路１３へ出力するバッファ３４と、映像信号ＤＡＴ内の制御信号（クロック信号や同期信号など）に基づいて、上記各部材３１から３４を制御するコントローラ３５とを備えている。なお、本構成例では、上記フレームメモリ３２は、ＲＡＭ（Ｒａｎｄｏｍ　Ａｃｃｅｓｓ　Ｍｅｍｏｒｙ）によって構成されている。
【０２１７】
上記ＬＵＴ（Ｌｏｏｋ　Ｕｐ　Ｔａｂｌｅ　）３１は、６以下の任意の数をｉとするとき、各映像データＤ（ｉ）を、ビットデータｇｉ（１）およびｇｉ（２）に変換して出力している。さらに、ビット組み替え回路３３は、上記ビットデータｇｉ（１）およびｇｉ（２）を、ビットデータ毎にまとめて出力する。また、フレームメモリ３２は、コントローラ３５からの書き込み指示に応じて、ビット組み替え回路３３が出力するビットデータｇｉ（１）およびｇｉ（２）を、それぞれに対応する記憶領域に記憶する。
【０２１８】
一方、コントローラ３５は、上記フレームメモリ３２から、予め定められた順番で各ビットデータが出力されるように、すなわち、ｇ１（１）、ｇ６（２）、ｇ２（１）、ｇ１（２）、ｇ３（１）、ｇ２（２）、ｇ４（１）、ｇ３（２）、ｇ５（１）、ｇ４（２）、ｇ６（１）、ｇ５（２）の順番で出力されるように、例えば、当該順番で、それぞれのビットデータの記憶領域を示す読み出しアドレスを与えるなどして、フレームメモリ３２を制御する。これにより、データライン駆動回路１３へ上記順番でビットデータが出力される。
【０２１９】
また、コントローラ３５は、各ビットデータの出力タイミングと、データ信号線駆動回路１３の読み取りタイミングとが同期するように、データライン駆動回路１３へ制御信号を送信している。また、コントローラ３５は、各ビットデータの出力タイミングと、各ビットデータに対応する走査ラインが選択されるタイミングとが同期するように、走査ライン駆動回路１４にも制御信号を送信している。これにより、図２１に示す表示装置１１は、本実施形態の第１〜第２の走査方法で画素アレイ１２を駆動できる。
【０２２０】
なお、上記では、マトリクス型の表示装置を例にして説明したが、これに限るものではない。例えば、画像形成装置などで使用される液晶シャッターなどの駆動装置であってもよい。以下の構成の電気光学装置の駆動装置（１）　または（２）　、すなわち、（１）　複数の走査ラインと少なくとも１つのデータラインとの組み合わせに対応して設けられた電気光学素子であって、それぞれＲ段階（Ｒは、２以上の整数）の出力が可能な電気光学素子を有する電気光学装置を駆動する駆動装置であり、順次選択されている上記複数の走査ラインのうちの現在選択されている走査ラインに対応する電気光学素子へ、次に指示データが供給されるまでの出力期間における出力を示す指示データを、当該電気光学素子に対応するデータラインを介して供給する駆動手段を備え、上記駆動手段は、１フレーム期間中に各電気光学素子毎にＡ回（Ａは、２以上の整数）ずつ、上記指示データＢ１〜Ｂａを供給することによって、１フレーム期間全体における電気光学素子の出力としてのフレーム間出力を制御し、上記駆動手段は、あるデータラインへ連続して供給されるＡ個の指示データに指示データＢ１〜Ｂａが各１回ずつ出現するように、上記走査ラインを選択する電気光学装置の駆動装置、あるいは、（２）　複数の走査ラインと少なくとも１つのデータラインとの組み合わせに対応して設けられた電気光学素子であって、それぞれＲ段階（Ｒは、２以上の整数）の出力が可能な電気光学素子を有する電気光学装置を駆動する駆動装置であり、順次選択されている上記複数の走査ラインのうちの現在選択されている走査ラインに対応する電気光学素子へ、次に指示データが供給されるまでの出力期間における出力を示す指示データを、当該電気光学素子に対応するデータラインを介して供給する駆動手段を備え、上記駆動手段は、１フレーム期間中に各電気光学素子毎にＡ回（Ａは、２以上の整数）ずつ、上記指示データを供給することによって、１フレーム期間全体における電気光学素子の出力としてのフレーム間出力を制御し、上記駆動手段は、ある電気光学素子へ、１フレーム期間に供給されるＡ個の指示データが、当該電気光学素子と同じデータラインに対応する、他の電気光学素子へ、１フレーム期間に供給されるＡ個の指示データと比較して、予め定められた時間だけズレたタイミングとなるように、各指示データを供給し、しかも、上記各電気光学素子へ供給される、上記各Ａ個の指示データのうちの何番目のデータであるかを示す識別番号によって、当該Ａ個の指示データそれぞれを区別するとき、あるデータラインに連続して供給されるＡ個の指示データの識別番号が互いに異なるように、各指示データを供給する電気光学装置の駆動装置であれば、本実施形態と同様の効果が得られる。
【０２２１】
ただし、表示装置の場合、必要な走査ラインの数は、所望の解像度に応じて変化するため、走査ラインの数が種々に設定された表示装置が存在している。また、１フレーム期間全体で表示可能な階調の数は、近年の多階調表示への要求に伴なって、例えば、赤の階調で２５６階調など、比較的大きな値に設定されることが多いので、フレーム間出力の各段階のそれぞれが所望の値になるように、フレーム間出力の数ＢをＲＡ　よりも小さい数に設定したとしても、階調数低下による表示画像の劣化は、殆ど発生しない。これらの結果、本発明を表示装置に適用すると、特に効果が大きい。
【０２２２】
【発明の効果】
本発明に係る電気光学装置の駆動装置は、以上のように、あるデータラインへ連続して供給されるＡ個の指示データに指示データＢ１〜Ｂａが各１回ずつ出現するように、走査ラインを選択すると共に、Ｒ段階（Ｒは、２以上の整数）の出力が可能な電気光学素子へ、当該電気光学素子に対応する走査ラインが選択されている間に、当該電気光学素子に対応するデータラインを介して、１フレーム期間中にＡ回（Ａは、２以上の整数）ずつ、指示データＢ１〜Ｂａを供給することによって、１フレーム期間全体における電気光学素子の出力としてのフレーム間出力をＢ段階に制御する電気光学装置の駆動装置において、ＲＡ　＞　Ｂ　になるように、各指示データの重みが設定されている構成である。
【０２２３】
それゆえ、Ｂ＝ＲＡ　になるように各指示データの重みを設定する場合と比較して、フレーム間出力の各段階のそれぞれを所望の値に設定可能な走査ライン数の種類を増やすことができ、フレーム間出力の各段階のそれぞれを所望の値に設定可能な電気光学装置の範囲を拡大できるという効果を奏する。
【０２２４】
本発明に係る電気光学装置の駆動装置は、以上のように、上記構成に加えて、１フレーム期間に上記電気光学素子へ供給される指示データの重みを小さい順に並べ、１以上の整数をＧとし、１以上、Ｇ×（Ｒ−１）以下の整数をｎとするとき、互いに隣接する指示データ対の中に、両者の重みの比率が、Ｇ：Ｇ×Ｒ−ｎになる指示データ対が含まれるように、上記１フレーム期間に供給される各指示データの重みが設定されている構成である。
【０２２５】
この場合も、ＲＡ　＞　Ｂになるように、各指示データの重みが設定されているので、フレーム間出力の各段階のそれぞれを所望の値に設定可能な電気光学装置の範囲を拡大できるという効果を奏する。
【０２２６】
本発明に係る電気光学装置の駆動装置は、以上のように、上記重みの比率がＧ：Ｇ×Ｒ−ｎになる指示データ対を含む構成に代えて、あるいは、加えて、１フレーム期間に上記電気光学素子へ供給される指示データのうち、少なくとも１つの重みが０に設定されている構成である。
【０２２７】
当該構成では、少なくとも１つの指示データの重みが０なので、ＲＡ　＞　Ｂになる。また、指示データの１つが重み０の指示データになるので、指示データを電気光学素子へ供給するための走査と独立した初期化走査が不要になる。さらに、指示データの重みが０なので、指示データに対応する出力期間の長さを変更しても、フレーム間出力には影響しない。したがって、フレーム間出力の各段階の値を変更することなく、重みが０の指示データに対応する出力期間の長さを、互いに異なる走査ラインに対応する指示データがデータラインに送付されるタイミング（選択期間）が互いに重なり合わず、しかも、走査ラインの数に合った長さに調整できる。この結果、フレーム間出力の各段階のそれぞれを所望の値に設定可能な電気光学装置の範囲をさらに拡大できるという効果を奏する。
【０２２８】
本発明に係る電気光学装置の駆動装置は、以上のように、上記各構成に加えて、上記駆動手段が、同一フレーム期間に、あるデータラインへ連続して供給するＡ個の指示データの順番は、重みの順番で互いに隣接している指示データ対の中に、当該データラインへ供給する順番では、互いに隣接しない指示データ対が含まれるように設定されている構成である。
【０２２９】
当該構成では、重みの順番で互いに隣接している指示データ対の中に、当該データラインへ供給する順番では、互いに隣接しない指示データ対が含まれているので、互いに異なる走査ラインに対応する指示データがデータラインに送付されるタイミング（選択期間）が互いに重なり合わないように各指示データの重みを調整する際、これら両指示データの重みを調整しやすい。したがって、より柔軟に走査ラインを選択するタイミングを設定でき、フレーム間出力の各段階のそれぞれを所望の値に設定可能な電気光学装置の範囲をさらに拡大できるという効果を奏する。
【０２３０】
本発明に係る電気光学装置の駆動装置は、以上のように、上記各構成に加えて、上記１フレーム期間に供給される各指示データの重みは、さらに、上記各指示データによって特定可能で、互いに異なるレベルのフレーム間出力を、低いレベルから順番に並べたとき、互いに隣接するフレーム間出力同士のレベル差が、予め定められた固定値となるように設定されている構成である。
【０２３１】
それゆえ、フレーム間出力のレベルを小さい順番に並べた場合に、順番に対する、フレーム間出力のレベルの特性を線形にできる。この結果、入力されたデータに応じた順番のフレーム間出力を出力するための指示データの組み合わせを、電気光学素子へ供給することによって、入力されたデータに対する、フレーム間出力の特性を線形にすることができ、線形な特性を持った電気光学装置を実現できるという効果を奏する。
【０２３２】
本発明に係る表示装置は、以上のように、表示素子として、複数の走査ラインと少なくとも１つのデータラインとの組み合わせに対応して設けられた電気光学素子であって、それぞれＲ段階（Ｒは、２以上の整数）の出力が可能な電気光学素子を有する電気光学装置と、当該電気光学装置を駆動する上述の駆動装置とを有し、上記駆動手段は、指示データとして、各電気光学素子の階調データを供給する構成である。
【０２３３】
ここで、上記表示装置では、必要な走査ラインの数は、所望の解像度に応じて変化するため、走査ラインの数が種々に設定された表示装置が存在している。また、１フレーム期間全体で表示可能な階調の数は、近年の多階調表示への要求に伴なって、例えば、赤の階調で２５６階調など、比較的大きな値に設定されることが多いので、フレーム間出力の各段階のそれぞれが所望の値になるように、フレーム間出力の数ＢをＲＡ　よりも小さい数に設定したとしても、階調数低下による表示画像の劣化は、殆ど発生しない。この結果、より広い範囲の走査ライン数の表示装置において、各階調のレベルを所望の値にできるという効果を奏する。
【０２３４】
本発明に係る表示装置は、以上のように、上記構成に加えて、１フレーム期間に上記電気光学素子へ供給される指示データのうち、少なくとも１つの重みが０に設定されており、しかも、上記重み０の指示データに対応する出力期間は、上記１フレーム期間の１／４以上に設定されている構成である。
【０２３５】
当該構成では、重み０の指示データに対応する出力期間が１フレーム期間の１／４以上に設定されている。したがって、以下の現象、すなわち、時間分割階調表示した動画像を視線が追うことによって、各指示データ（階調データ）に対応する電気光学素子の発光期間が重なり、動画偽輪郭として視認されるという現象の発生を抑えることができるという効果を奏する。
【０２３６】
本発明に係る表示装置は、以上のように、上記構成に加えて、上記駆動手段は、同一フレーム期間にて、上記フレーム間出力が互いに同一の電気光学素子に対して、互いに異なる複数組の組み合わせの指示データのうち、いずれかの組み合わせの指示データを供給すると共に、当該上記電気光学素子のうち、少なくとも１つは、他とは異なる組み合わせの指示データを供給する構成である。
【０２３７】
当該構成では、同一フレーム期間において、フレーム間出力が互いに同一の電気光学素子の組には、互いに異なる組み合わせの指示データが供給される電気光学素子が含まれている。したがって、動画像を視線が追うことによって発生する動画偽輪郭の発生を抑えることができるという効果を奏する。
【０２３８】
本発明の表示装置は、以上のように、マトリックス型の表示装置において、Ｒ階調表示可能な電気光学素子を用いてＢ階調表示を実現するにあたって、たとえば１：２：４：７：…（すなわち、２０　：２１　：２２　：２３　−１：…）のように、Ｒ０　：Ｒ１　：…：Ｒｍ　−ｎ：…とし、第３ビット以降の少なくとも１箇所で、Ｒ０　：Ｒ１　：Ｒ２　：Ｒ３　…の関係を崩す（たとえば第３ビットの重み比率をＰとし、第４ビットの重み比率をＱとするとき、Ｐ×Ｒ≠Ｑ、かつＰ×Ｒ＞Ｑ）。
【０２３９】
それゆえ、表示階調数が低下しても、３ビットより下位ではビット重み比率が厳密に維持されているので、実際に認識される画像にそれ程差がなく、各走査ラインのデータ転送タイミングが相互に重なり合わない時間分割階調走査タイミングを得ることができる。
【０２４０】
さらにまた、前記電気光学素子としてＴＮ液晶や有機ＥＬ等を用いたアクティブマトリクス型の表示装置では、初期化用ＴＦＴ、その選択ラインおよび初期化データのためのライン等を用いることなく、前記所望とするビット重み比率で比較的正確な時間分割階調表示を実現することができる。
【０２４１】
また、本発明の表示装置は、以上のように、前記Ａ個のビットデータのうちの少なくとも１つを、重み０のデータとする。
【０２４２】
それゆえ、初期化走査のビットデータを少なくとも１つ含めて前記単位時間内の占有時間を決定するので、前記電気光学素子としてＴＮ液晶や有機ＥＬ等を用いたアクティブマトリクス型の表示装置でも、前述の初期化用ＴＦＴ等を用いることなく、任意の走査ライン数に対応できる。
【０２４３】
さらにまた、本発明の表示装置は、以上のように、最も重みの大きい２つのビットデータを、各電気光学素子の同一フレーム期間の始めと終わりに配置する。
【０２４４】
それゆえ、それらの重みを調整することによって、より柔軟な選択タイミングを得ることができる。これによって、１つの制御グループの走査ライン数をある程度自由に設定できるようになり、表示パネルの走査ライン数に一致した時間分割階調表示を行うことができる。また、最も重みの大きなビットデータの重みを、次に重みの大きなビットデータの重みの１．５倍以内とすることによって、動画像を視線が追うことで発生する動画偽輪郭を抑えることができる。
【０２４５】
また、本発明の表示装置は、以上のように、同一フレーム期間において、相互に隣接する電気光学素子が同一階調を表示する場合には、点灯するビットデータパターンを相互に異ならせる。
【０２４６】
それゆえ、時間分割階調表示した動画像を視線が追うことで発生する動画偽輪郭を抑えることができる。そして、どの電気光学素子へどちらのパターンを割当てるか、１フレーム期間単位で変化させることで、前記動画偽輪郭をより抑えることができる。
【０２４７】
本発明に係る電気光学装置の駆動方法は、以上のように、あるデータラインへ連続して供給されるＡ個の指示データに指示データＢ１〜Ｂａが各１回ずつ出現するように、走査ラインを選択すると共に、Ｒ段階（Ｒは、２以上の整数）の出力が可能な電気光学素子へ、当該電気光学素子に対応する走査ラインが選択されている間に、当該電気光学素子に対応するデータラインを介して、１フレーム期間中にＡ回（Ａは、２以上の整数）ずつ、指示データＢ１〜Ｂａを供給することによって、１フレーム期間全体における電気光学素子の出力としてのフレーム間出力をＢ段階に制御する駆動工程を含み、上記各指示データの重みは、　ＲＡ　＞
Ｂ　になるように設定されている構成である。
【０２４８】
当該方法で電気光学装置を駆動する装置は、上述の電気光学装置の駆動装置になるので、上述した電気光学装置の駆動装置と同様に、Ｂ＝ＲＡ　になるように各指示データの重みを設定する場合と比較して、フレーム間出力の各段階のそれぞれを所望の値に設定可能な走査ライン数の種類を増やすことができ、フレーム間出力の各段階のそれぞれを所望の値に設定可能な電気光学装置の範囲を拡大できるという効果を奏する。
【０２４９】
本発明に係る表示装置の駆動方法は、以上のように、マトリックス型の表示装置にて、Ｒ階調表示可能な電気光学素子を用いてＢ階調表示を実現する駆動工程を含む駆動方法であって、前記駆動工程にて、前記Ａ個のビットデータは、相互に異なるビットに対応したデータであり、かつ、Ｒ０　：Ｒ１　：…：Ｒｍ　−ｎ：…（ｍは２以上の整数、ｎは１以上の整数）の関係を有する構成である。
【０２５０】
当該方法で表示装置を駆動すると、当該表示装置は、上述の表示装置になるので、当該表示装置と同様に、前記所望とするビット重み比率で比較的正確な時間分割階調表示を実現可能な表示装置の範囲を拡大できるという効果を奏する。
【０２５１】
本発明に係る電気光学装置の駆動装置の重み設定方法は、以上のように、あるデータラインへ連続して供給されるＡ個の指示データに指示データＢ１〜Ｂａが各１回ずつ出現するように、走査ラインを選択すると共に、Ｒ段階（Ｒは、２以上の整数）の出力が可能な電気光学素子へ、当該電気光学素子に対応する走査ラインが選択されている間に、当該電気光学素子に対応するデータラインを介して、１フレーム期間中にＡ回（Ａは、２以上の整数）ずつ、指示データＢ１〜Ｂａを供給することによって、１フレーム期間全体における電気光学素子の出力としてのフレーム間出力をＢ段階に制御する電気光学装置の駆動装置における重み設定方法において、上記各指示データの重みを、重みの小さい指示データから順番に並べたときに、前の順番のＲ倍となるように、初期設定する工程と、上記順番で最初の指示データの出力期間を開始する選択期間として、予め定められた選択期間を割り当てる工程と、未だ、選択期間を割り当てていない指示データが存在する間、繰り返されると共に、上記指示データの重みに応じて、当該指示データに対応する出力期間の長さを決定し、当該出力期間が終わったときの選択期間を、次の指示データの出力期間が開始される選択期間として割り当てる割り当て工程と、上記割り当て工程にて割り当てた、次の指示データの選択期間が、これまでに割り当てた選択期間と一致しているか否かを判定する判定工程と、一致している場合、上記割り当て工程にて出力期間の長さを決定した指示データ、あるいは、それまでに出力期間の長さを決定した指示データの重みを軽くして、次の指示データに割り当てる選択期間、および、これまでに指示データが割り当てられた選択期間が、相互に重ならないように調整する調整工程とを含んでいる構成である。
【０２５２】
当該構成では、次の指示データの選択期間が、これまでに割り当てた選択期間と一致している場合、上記割り当て工程にて出力期間の長さを決定した指示データ、あるいは、それまでに出力期間の長さを決定した指示データの重みを軽くして、次の指示データに割り当てる選択期間、および、これまでに指示データが割り当てられた選択期間が、相互に重ならないように調整される。
【０２５３】
この結果、走査ラインが、どのような値であっても、互いに異なる走査ラインに対応する指示データがデータラインに送付されるタイミング（選択期間）が互いに重なり合わない程度に、フレーム間出力の数Ｂが、ＲＡ　よりも小さく設定されると共に、フレーム間出力の各段階を低いレベルから順に並べたときに、隣接する段階同士の差を固定値にすることができる。したがって、電気光学装置の駆動装置が電気光学素子を駆動するときの当該重みを、上記設定方法で決定されたように設定することによって、フレーム間出力の各段階のそれぞれを所望の値に設定可能な電気光学装置の範囲が拡大された電気光学装置の駆動装置を実現できるという効果を奏する。
【０２５４】
本発明に係る電気光学装置の駆動装置の重み設定方法は、以上のように、上記構成に加えて、上記調整工程は、当該順番の指示データよりも軽い重みの指示データの重みを軽くする前に、次に選択期間を割り当てる指示データを、未だ選択期間が割り当てられていない指示データの中のいずれかに変更することによって、次の指示データに割り当てる選択期間、および、これまでに指示データが割り当てられた選択期間が、相互に重ならないように調整する順番変更工程を含んでいる構成である。
【０２５５】
当該構成では、重みを軽くする前に、選択期間を割り当てる指示データの順番を変更して、各選択期間の重複の排除を試みるので、選択期間を割り当てる順番を固定する場合よりも、フレーム間出力の数を増やすことができるという効果を奏する。
【図面の簡単な説明】
【図１】本発明の実施形態に係る表示装置において、電気光学素子として強誘電性液晶以外の液晶素子を用いる場合における画素回路構成を示す等価回路図である。
【図２】本発明の実施形態に係る表示装置において、電気光学素子として有機ＥＬ素子を用いる場合における画素回路構成を示す等価回路図である。
【図３】上記実施形態の実施例１の走査条件の図である。
【図４】前記図３の走査条件を具体化した時間分割階調の走査方法のタイミング図である。
【図５】上記実施形態の実施例２の走査条件の図である。
【図６】前記図５の走査条件を具体化した時間分割階調の走査方法のタイミング図である。
【図７】上記実施形態の実施例２の別の走査条件の図である。
【図８】上記実施形態の実施例２の別の走査条件の図である。
【図９】上記実施形態の実施例３の走査条件の図である。
【図１０】本発明の実施例１の別の走査条件の図である。
【図１１】上記実施形態の実施例４の走査条件の図である。
【図１２】上記実施形態の実施例５の走査条件の図である。
【図１３】前記図１２の走査条件での動画偽輸郭の発生原理を説明するための図である。
【図１４】前記図１２の走査条件での動画偽輸郭の抑制効果を説明するための図である。
【図１５】上記実施形態の実施例５の別の走査条件の図である。
【図１６】典型的な従来技術の時間分割階調での走査方法のタイミング図である。
【図１７】他の従来技術の時間分割階調での走査方法のタイミング図である。
【図１８】前記他の従来技術における時間分割階調での他の走査方法のタイミング図である。
【図１９】従来例で強誘電性液晶以外の液晶素子を用いる場合における画素回路構成を示す等価回路図である。
【図２０】従来例で有機ＥＬ素子を用いる場合における画素回路構成を示す等価回路図である。
【図２１】本発明の実施形態を示すものであり、表示装置の要部構成を示すブロック図である。
【図２２】上記実施形態の実施例１の別の走査条件の図である。
【図２３】前記図２２の走査条件を具体化した時間分割階調の走査方法を示すタイミング図である。
【図２４】上記実施形態の実施例２の別の走査条件の図である。
【図２５】前記図２４の走査条件を具体化した時間分割階調の走査方法を示すタイミング図である。
【図２６】上記実施形態の実施例４の別の走査条件の図である。
【図２７】前記図２６の走査条件を具体化した時間分割階調の走査方法を示すタイミング図である。
【図２８】前記図１２の走査条件において、重み０のビットの表示期間の比率を伸ばすことによって、動画偽輸郭の抑制した場合の効果を説明するための図である。
【図２９】上記実施形態の実施例５の別の走査条件の図である。
【図３０】本実施形態に係る表示装置に設けられた制御回路の構成例を示すブロック図である。
【符号の説明】
１　　ゲートＴＦＴ
２　　初期化用のＴＦＴ
３　　駆動ＴＦＴ
１１　　表示装置
１２　　画素アレイ（電気光学装置）
１３　　データライン駆動回路（駆動手段）
１４　　走査ライン駆動回路（駆動手段）
Ｃ　　コンデンサ
Ｄｊ　　初期化ライン
Ｅｉ　　選択ライン
Ｇｉ　　ゲートライン
ＬＣＤ　強誘電性液晶以外の液晶素子（電気光学素子）
ＬＥＤ　有機ＥＬ素子（電気光学素子）
Ｐｊ　　電源ライン
Ｓｊ　　データライン
Ｒｅｆ　対向電極
【図１】
2004004501.tif 000033
【図２】
2004004501.tif 000034
【図３】
2004004501.tif 000035
【図４】
2004004501.tif 000036
【図５】
2004004501.tif 000037
【図６】
2004004501.tif 000038
【図７】
2004004501.tif 000039
【図８】
2004004501.tif 000040
【図９】
2004004501.tif 000041
【図１０】
2004004501.tif 000042
【図１１】
2004004501.tif 000043
【図１２】
2004004501.tif 000044
【図１３】
2004004501.tif 000045
【図１４】
2004004501.tif 000046
【図１５】
2004004501.tif 000047
【図１６】
2004004501.tif 000048
【図１７】
2004004501.tif 000049
【図１８】
2004004501.tif 000050
【図１９】
2004004501.tif 000051
【図２０】
2004004501.tif 000052
【図２１】
2004004501.tif 000053
【図２２】
2004004501.tif 000054
【図２３】
2004004501.tif 000055
【図２４】
2004004501.tif 000056
【図２５】
2004004501.tif 000057
【図２６】
2004004501.tif 000058
【図２７】
2004004501.tif 000059
【図２８】
2004004501.tif 000060
【図２９】
2004004501.tif 000061
【図３０】
2004004501.tif 000062